(57)【要約】【課題】ＣＲカセッテとＦＰＤカセッテとが混在する状況でも、撮影オーダ情報と、画像データに基づく放射線画像を的確かつ確実に対応付けることが可能な放射線画像撮影システムを提供する。【解決手段】放射線画像撮影システム５０は、ＦＰＤカセッテ１Ｆと、ＣＲカセッテ１Ｃと、撮影オーダ情報を取得するとともに、送信されてきた画像データＤに基づいて放射線画像ｐを生成するコンソール５８とを備え、コンソール５８は、撮影オーダ情報Ｏａ、Ｏｂ、…を撮影が実施された順番に記憶し、撮影実施結果を放射線発生装置５７から受信した順番に記憶し、送信されてきた画像データＤに基づいて生成した各放射線画像ｐが確定されると、記憶した撮影オーダ情報の順番と撮影実施結果を受信した順番と確定された各放射線画像ｐとに基づいて、撮影実施結果と確定された放射線画像ｐとを撮影オーダ情報にそれぞれ対応付ける。【選択図】図１
2012095882.tif 000002
【特許請求の範囲】
【請求項１】
二次元状に配列された複数の放射線検出素子を備え、放射線の照射により前記各放射線検出素子内で発生した電荷を画像データとして読み出すＦＰＤカセッテと、
輝尽性蛍光体プレートを内蔵し、放射された放射線のエネルギを前記輝尽性蛍光体プレートに蓄積されるＣＲカセッテと、
前記ＣＲカセッテの前記輝尽性蛍光体プレートから画像データを読み取る画像読取装置と、
撮影オーダ情報を取得するとともに、選択された前記撮影オーダ情報に基づく撮影が行われて前記ＦＰＤカセッテまたは前記画像読取装置から前記画像データが送信されてくると、前記画像データに基づいて放射線画像を生成するコンソールと、
前記ＦＰＤカセッテまたは前記ＣＲカセッテに放射線を照射する放射線源を備え、前記放射線源から放射線を照射するごとに撮影実施結果を前記コンソールに送信する放射線発生装置と、
を備え、
前記コンソールは、
前記撮影オーダ情報を、撮影が実施された順番に記憶するとともに、前記放射線発生装置から前記撮影実施結果を受信した順番に記憶し、
前記ＦＰＤカセッテまたは前記画像読取装置からそれぞれ送信されてきた前記各画像データに基づいて生成した前記各放射線画像が確定されると、記憶した前記撮影オーダ情報の順番と、前記撮影実施結果を受信した順番と、前記確定された前記各放射線画像とに基づいて、前記撮影実施結果と前記確定された放射線画像とを、前記撮影オーダ情報にそれぞれ対応付けることを特徴とする放射線画像撮影システム。
【請求項２】
前記コンソールは、記憶した前記撮影オーダ情報の数と、前記撮影実施結果の数と、前記確定された各放射線画像の数とが一致しない場合には、警告を発することを特徴とする請求項１に記載の放射線画像撮影システム。
【請求項３】
二次元状に配列された複数の放射線検出素子を備え、放射線の照射により前記各放射線検出素子内で発生した電荷を画像データとして読み出すＦＰＤカセッテと、
輝尽性蛍光体プレートを内蔵し、放射された放射線のエネルギを前記輝尽性蛍光体プレートに蓄積されるＣＲカセッテと、
前記ＣＲカセッテの前記輝尽性蛍光体プレートから画像データを読み取る画像読取装置と、
撮影オーダ情報を取得するとともに、選択された前記撮影オーダ情報に基づく撮影が行われて前記ＦＰＤカセッテまたは前記画像読取装置から前記画像データが送信されてくると、前記画像データに基づいて放射線画像を生成するコンソールと、
前記ＦＰＤカセッテまたは前記ＣＲカセッテに放射線を照射する放射線源を備え、前記放射線源から放射線を照射するごとに撮影実施結果を前記コンソールに送信する放射線発生装置と、
を備え、
前記コンソールは、
前記撮影オーダ情報を、撮影が実施された順番に記憶するとともに、前記放射線発生装置から前記撮影実施結果を受信した順番に記憶し、
前記ＦＰＤカセッテを用いた撮影が実施された場合には、当該ＦＰＤカセッテを用いて撮影が実施された前記撮影オーダ情報に、当該ＦＰＤカセッテから送信されてきた前記画像データに基づいて生成して確定された前記放射線画像を対応付けた時点で、次の撮影の実施を許容し、
前記ＣＲカセッテを用いた撮影が実施された場合には、当該ＣＲカセッテを用いて撮影が実施された前記撮影オーダ情報に前記放射線画像を対応付ける以前に、次の撮影の実施を許容するとともに、当該ＣＲカセッテの識別情報とともに前記画像読取装置から送信されてきた前記画像データに基づいて生成して確定された前記放射線画像を、当該ＣＲカセッテを用いて撮影が実施された前記撮影オーダ情報に対応付け、
記憶した前記撮影オーダ情報の順番と、前記撮影実施結果を受信した順番とに基づいて、前記放射線画像が対応付けられた前記撮影オーダ情報に、前記撮影実施結果をそれぞれ対応付けることを特徴とする放射線画像撮影システム。
【請求項４】
前記コンソールは、前記放射線画像が対応付けられた前記撮影オーダ情報の数と、前記撮影実施結果の数とが一致しない場合には、警告を発することを特徴とする請求項３に記載の放射線画像撮影システム。
【請求項５】
前記コンソールは、
前記ＦＰＤカセッテを用いた撮影が実施された場合には、前記ＦＰＤカセッテで取得された前記画像データに基づいて作成された間引きデータに基づくプレビュー画像が承認された時点で、次の撮影の実施を許容し、
その後、当該ＦＰＤカセッテから送信されてきた前記画像データに基づいて生成して確定された前記放射線画像を、当該ＦＰＤカセッテを用いて撮影が実施された前記撮影オーダ情報に対応付けることを特徴とする請求項３または請求項４に記載の放射線画像撮影システム。
【請求項６】
二次元状に配列された複数の放射線検出素子を備え、放射線の照射により前記各放射線検出素子内で発生した電荷を画像データとして読み出すＦＰＤカセッテと、
輝尽性蛍光体プレートを内蔵し、放射された放射線のエネルギを前記輝尽性蛍光体プレートに蓄積されるＣＲカセッテと、
前記ＣＲカセッテの前記輝尽性蛍光体プレートから画像データを読み取る画像読取装置と、
撮影オーダ情報を取得するとともに、選択された前記撮影オーダ情報に基づく撮影が行われて前記ＦＰＤカセッテまたは前記画像読取装置から前記画像データが送信されてくると、前記画像データに基づいて放射線画像を生成するコンソールと、
前記ＦＰＤカセッテまたは前記ＣＲカセッテに放射線を照射する放射線源を備え、前記放射線源から放射線を照射するごとに撮影実施結果を前記コンソールに送信する放射線発生装置と、
を備え、
前記コンソールは、
撮影が実施されると、実施された前記撮影オーダ情報に前記放射線発生装置から受信した前記撮影実施結果を対応付けるとともに、
前記ＦＰＤカセッテまたは前記画像読取装置から、当該実施された撮影に基づく前記画像データが送信され、送信された前記画像データに基づいて生成した前記放射線画像が確定され、前記撮影実施結果が対応付けられた前記撮影オーダ情報に前記確定された放射線画像を対応付けた時点で、次の撮影の実施を許容することを特徴とする放射線画像撮影システム。
【請求項７】
前記コンソールは、
前記ＦＰＤカセッテで取得された前記画像データに基づいて作成された間引きデータに基づくプレビュー画像、または、前記画像読取装置から送信されてきた前記画像データまたは前記画像データに基づいて作成した間引きデータに基づくプレビュー画像が承認された時点で、次の撮影の実施を許容し、
その後、当該ＦＰＤカセッテから送信されてきた前記画像データに基づいて生成して確定された前記放射線画像、または、前記画像読取装置から送信されてきた前記画像データに基づいて生成して確定された前記放射線画像を、当該ＦＰＤカセッテまたは当該ＣＲカセッテを用いて撮影が実施された前記撮影オーダ情報に対応付けることを特徴とする請求項６に記載の放射線画像撮影システム。
【請求項８】
前記コンソールは、撮影が実施される前記撮影オーダ情報の前記順番を任意に設定することができるように構成されていることを特徴とする請求項１から請求項７のいずれか一項に記載の放射線画像撮影システム。
【発明の詳細な説明】
【技術分野】
【０００１】
本発明は、放射線画像撮影システムに係り、特に、放射線画像撮影装置で撮影した画像のプレビュー画像を表示可能な放射線画像撮影システムに関する。
【背景技術】
【０００２】
病気診断等を目的として、Ｘ線画像に代表される放射線を用いて撮影された放射線画像が広く用いられている。こうした医療用の放射線画像は、従来からスクリーンフィルムを用いて撮影されていたが、放射線画像のデジタル化を図るために輝尽性蛍光体プレート（輝尽性蛍光体シートともいう。）を用いたＣＲ（Computed Radiography）装置が開発され、最近では、照射された放射線を放射線検出素子で検出してデジタル画像データとして取得する放射線画像撮影装置が開発されている。
【０００３】
このタイプの放射線画像撮影装置はＦＰＤ（Flat Panel Detector）として知られており、上記のＣＲ装置よりも画像データ表示を素早く行えるので、早期診断に貢献可能となっている。従来は、支持台等と一体的に形成された、いわゆる専用機として開発された（例えば特許文献１、２参照）。また、近年、放射線検出素子等をハウジングに収納して可搬とした可搬型の放射線画像撮影装置が開発され、実用化されている（例えば特許文献３、４参照）。また、このような可搬型の放射線画像撮影装置では、バッテリを内蔵し、信号やデータ等の送受信をアンテナ装置を介した電波のやりとりで行う放射線画像撮影装置が開発されている（例えば特許文献５等参照）。
【０００４】
放射線画像撮影装置としては、照射されたＸ線等の放射線の線量に応じて検出素子で電荷を発生させて電気信号に変換するいわゆる直接型の放射線画像撮影装置や、照射された放射線をシンチレータ等で可視光等の他の波長の電磁波に変換した後、変換され照射された電磁波のエネルギに応じてフォトダイオード等の光電変換素子で電荷を発生させて電気信号に変換するいわゆる間接型の放射線画像撮影装置が知られている。なお、本発明では、直接型の放射線画像撮影装置における検出素子や、間接型の放射線画像撮影装置における光電変換素子を、あわせて放射線検出素子という。
【０００５】
なお、本発明では、可搬型の放射線画像撮影装置をＦＰＤカセッテといい、また、輝尽性蛍光体プレートが内蔵されたＣＲ装置用のカセッテをＣＲカセッテというものとする。
【０００６】
ところで、現在、病院や医院等に設置されている撮影装置としては、ＣＲ装置が主流であり、ＣＲカセッテをブッキー装置のカセッテ保持部（カセッテホルダともいう。）に装填し、被写体である患者の身体の部位にＣＲカセッテがくるようにカセッテ保持部の位置や高さ等を調整したうえで、放射線源から放射線が照射されて放射線画像撮影が行われる。
【０００７】
また、今後、病院や医院等にＦＰＤカセッテが導入されることが予想されており、今後しばらくの間、病院等の撮影室内に、ＣＲカセッテとＦＰＤカセッテとが混在する状態になることが予想されている。
【先行技術文献】
【特許文献】
【０００８】
【特許文献１】特許第３８９０１６３号公報
【特許文献２】特開平９−７３１４４号公報
【特許文献３】特開２００６−０５８１２４号公報
【特許文献４】特開平６−３４２０９９号公報
【特許文献５】特開平７−１４０２５５号公報
【発明の概要】
【発明が解決しようとする課題】
【０００９】
ところで、ＦＰＤカセッテは、上記のようにアンテナ装置を介した無線方式等でコンソールに画像データを送信することができるため、撮影後、即座にコンソールに画像データを送信して、コンソール上に画像データに基づく画像を表示させたり、コンソールで画像データ等に対する画像処理を行って最終的な放射線画像を生成することができる。
【００１０】
一方、ＣＲカセッテでは、照射された放射線のエネルギが輝尽性蛍光体プレートに蓄積されるが、ＣＲカセッテを画像読取装置に挿入して輝尽性蛍光体プレートに蓄積された放射線のエネルギを画像データとして読み取ったうえでなければ、コンソールに画像データを送信することができない。
【００１１】
すなわち、ＦＰＤカセッテでは、撮影が行われた撮影室からＦＰＤカセッテからの画像データの送信を行えるが、ＣＲカセッテでは、撮影後、放射線技師等の撮影者がＣＲカセッテを撮影室から持ち出して撮影室外の画像読取装置の所に持参し、画像読取装置でＣＲカセッテから輝尽性蛍光体プレートを取り出して画像データを読み取って初めて画像読取装置からコンソールへの画像データの送信が行われる。
【００１２】
また、ＦＰＤカセッテを用いた撮影とＣＲカセッテを用いた撮影とが混在する状態で撮影が連続して行われる場合、撮影者は、ＣＲカセッテを用いた撮影が行われるたびに撮影室を出て画像読取装置でＣＲカセッテから画像データを読み取らせるように行動するとは限らず、ＣＲカセッテを用いた撮影が行われると、撮影に用いたＣＲカセッテを、一旦、撮影室の放射線が当たらない場所や前室（操作室ともいう。）に置いておき、一連の撮影が終了したり、適当なタイミングで各ＣＲカセッテをまとめて画像読取装置の所に持参して画像データの読み取り処理を行わせるように行動する可能性もある。
【００１３】
コンソールでは、通常、一連の撮影が行われる前に、当該各撮影に関する撮影オーダ情報が取得、選択されるとともに、撮影後には、撮影オーダ情報に、当該撮影オーダ情報に基づいて行われた撮影で得られた画像データおよび撮影実施結果（すなわち当該画像データを得るために用いられた照射線量等に関する情報）を対応付けて保存する処理が行われる。
【００１４】
しかし、上記のように、ＦＰＤカセッテとＣＲカセッテとで画像データがコンソールに送信されてくるタイミング、および、放射線照射装置から送信される撮影実施結果の送信タイミングが異なるため、コンソールが、撮影オーダ情報に、当該撮影オーダ情報とは別の撮影オーダ情報に基づいて行われた撮影で得られた画像データや撮影実施結果を誤って対応付けてしまう事態が生じる可能性が高くなる。
【００１５】
そして、撮影オーダ情報に誤った画像データや撮影実施結果が対応付けられてしまうと、ある患者の主治医等がその誤った画像データに基づいて生成された放射線画像を見て、その患者に本来あるはずの病変部を見つけられなかったり、或いは本来ないはずの病変部があると誤診してしまう事態が生じる虞れがある。また、経過観察等においては、次回の撮影時に前回の撮影実施結果を参照する際に、不適切な画像と比較参照してしまう虞れもある。
【００１６】
しかし、放射線画像を医療用として用いる場合、このような誤診は決して生じてはならない。そのため、放射線画像撮影システムには、上記のように、撮影室内にＣＲカセッテとＦＰＤカセッテとが混在する状況において、ＦＰＤカセッテを用いた撮影とＣＲカセッテを用いた撮影とが混在する状況であっても、コンソールが、撮影オーダ情報と、当該撮影オーダ情報に基づいて行われた撮影で得られた画像データおよび撮影実施結果を的確かつ確実に対応付けることができるものであることが要請される。
【００１７】
本発明は、上記の点を鑑みてなされたものであり、ＣＲカセッテとＦＰＤカセッテとが混在する状況においても、コンソールが、撮影オーダ情報と、当該撮影オーダ情報に基づいて行われた撮影で得られた画像データ等を的確かつ確実に対応付けることが可能な放射線画像撮影システムを提供することを目的とする。
【課題を解決するための手段】
【００１８】
前記の問題を解決するために、本発明の放射線画像撮影システムは、
二次元状に配列された複数の放射線検出素子を備え、放射線の照射により前記各放射線検出素子内で発生した電荷を画像データとして読み出すＦＰＤカセッテと、
輝尽性蛍光体プレートを内蔵し、放射された放射線のエネルギを前記輝尽性蛍光体プレートに蓄積されるＣＲカセッテと、
前記ＣＲカセッテの前記輝尽性蛍光体プレートから画像データを読み取る画像読取装置と、
撮影オーダ情報を取得するとともに、選択された前記撮影オーダ情報に基づく撮影が行われて前記ＦＰＤカセッテまたは前記画像読取装置から前記画像データが送信されてくると、前記画像データに基づいて放射線画像を生成するコンソールと、
前記ＦＰＤカセッテまたは前記ＣＲカセッテに放射線を照射する放射線源を備え、前記放射線源から放射線を照射するごとに撮影実施結果を前記コンソールに送信する放射線発生装置と、
を備え、
前記コンソールは、
前記撮影オーダ情報を、撮影が実施された順番に記憶するとともに、前記放射線発生装置から前記撮影実施結果を受信した順番に記憶し、
前記ＦＰＤカセッテまたは前記画像読取装置からそれぞれ送信されてきた前記各画像データに基づいて生成した前記各放射線画像が確定されると、記憶した前記撮影オーダ情報の順番と、前記撮影実施結果を受信した順番と、前記確定された前記各放射線画像とに基づいて、前記撮影実施結果と前記確定された放射線画像とを、前記撮影オーダ情報にそれぞれ対応付けることを特徴とする。
【００１９】
また、本発明の放射線画像撮影システムは、
二次元状に配列された複数の放射線検出素子を備え、放射線の照射により前記各放射線検出素子内で発生した電荷を画像データとして読み出すＦＰＤカセッテと、
輝尽性蛍光体プレートを内蔵し、放射された放射線のエネルギを前記輝尽性蛍光体プレートに蓄積されるＣＲカセッテと、
前記ＣＲカセッテの前記輝尽性蛍光体プレートから画像データを読み取る画像読取装置と、
撮影オーダ情報を取得するとともに、選択された前記撮影オーダ情報に基づく撮影が行われて前記ＦＰＤカセッテまたは前記画像読取装置から前記画像データが送信されてくると、前記画像データに基づいて放射線画像を生成するコンソールと、
前記ＦＰＤカセッテまたは前記ＣＲカセッテに放射線を照射する放射線源を備え、前記放射線源から放射線を照射するごとに撮影実施結果を前記コンソールに送信する放射線発生装置と、
を備え、
前記コンソールは、
前記撮影オーダ情報を、撮影が実施された順番に記憶するとともに、前記放射線発生装置から前記撮影実施結果を受信した順番に記憶し、
前記ＦＰＤカセッテを用いた撮影が実施された場合には、当該ＦＰＤカセッテを用いて撮影が実施された前記撮影オーダ情報に、当該ＦＰＤカセッテから送信されてきた前記画像データに基づいて生成して確定された前記放射線画像を対応付けた時点で、次の撮影の実施を許容し、
前記ＣＲカセッテを用いた撮影が実施された場合には、当該ＣＲカセッテを用いて撮影が実施された前記撮影オーダ情報に前記放射線画像を対応付ける以前に、次の撮影の実施を許容するとともに、当該ＣＲカセッテの識別情報とともに前記画像読取装置から送信されてきた前記画像データに基づいて生成して確定された前記放射線画像を、当該ＣＲカセッテを用いて撮影が実施された前記撮影オーダ情報に対応付け、
記憶した前記撮影オーダ情報の順番と、前記撮影実施結果を受信した順番とに基づいて、前記放射線画像が対応付けられた前記撮影オーダ情報に、前記撮影実施結果をそれぞれ対応付けることを特徴とする。
【００２０】
さらに、本発明の放射線画像撮影システムは、
二次元状に配列された複数の放射線検出素子を備え、放射線の照射により前記各放射線検出素子内で発生した電荷を画像データとして読み出すＦＰＤカセッテと、
輝尽性蛍光体プレートを内蔵し、放射された放射線のエネルギを前記輝尽性蛍光体プレートに蓄積されるＣＲカセッテと、
前記ＣＲカセッテの前記輝尽性蛍光体プレートから画像データを読み取る画像読取装置と、
撮影オーダ情報を取得するとともに、選択された前記撮影オーダ情報に基づく撮影が行われて前記ＦＰＤカセッテまたは前記画像読取装置から前記画像データが送信されてくると、前記画像データに基づいて放射線画像を生成するコンソールと、
前記ＦＰＤカセッテまたは前記ＣＲカセッテに放射線を照射する放射線源を備え、前記放射線源から放射線を照射するごとに撮影実施結果を前記コンソールに送信する放射線発生装置と、
を備え、
前記コンソールは、
撮影が実施されると、実施された前記撮影オーダ情報に前記放射線発生装置から受信した前記撮影実施結果を対応付けるとともに、
前記ＦＰＤカセッテまたは前記画像読取装置から、当該実施された撮影に基づく前記画像データが送信され、送信された前記画像データに基づいて生成した前記放射線画像が確定され、前記撮影実施結果が対応付けられた前記撮影オーダ情報に前記確定された放射線画像を対応付けた時点で、次の撮影の実施を許容することを特徴とする。
【発明の効果】
【００２１】
本発明のような方式の放射線画像撮影システムによれば、各撮影が的確に行われて各放射線画像が確定されれば、コンソールは、撮影オーダ情報と撮影実施結果と確定された放射線画像とを的確かつ確実に対応付けることが可能となる。
【００２２】
そのため、撮影後にコンソールに画像データが送信されてくるタイミングがＣＲカセッテの場合とＦＰＤカセッテ（さらには専用機型の放射線画像撮影装置）の場合とで異なったり、或いは、再撮影が行われたような状況下でも、撮影オーダ情報と撮影実施結果と確定された放射線画像とを的確に対応付けることが可能となり、撮影オーダ情報に、当該撮影オーダ情報とは別の撮影オーダ情報に基づいて行われた撮影で得られた画像データに基づく放射線画像等を誤って対応付けてしまうことを確実に防止することが可能となる。
【図面の簡単な説明】
【００２３】
【図１】各実施形態に係る放射線画像撮影システムの全体構成を示す図である。
【図２】ＦＰＤカセッテの外観斜視図である。
【図３】図２のＦＰＤカセッテを反対側から見た外観斜視図である。
【図４】図２におけるＡ−Ａ線に沿う断面図である。
【図５】ＦＰＤカセッテの基板の構成を示す平面図である。
【図６】図５の基板上の小領域に形成された放射線検出素子とＴＦＴ等の構成を示す拡大図である。
【図７】フレキシブル回路基板やＰＣＢ基板等が取り付けられた基板を説明する側面図である。
【図８】ＦＰＤカセッテの等価回路を表すブロック図である。
【図９】カセッテ保持部の内部にコネクタが設けられたブッキー装置を説明する図である。
【図１０】ＦＰＤカセッテのコネクタとブッキー装置のコネクタとが接続された状態を表す外観斜視図である。
【図１１】ＦＰＤカセッテがクレードルに挿入され、コネクタ同士が接続された状態を表す断面図である。
【図１２】検知手段としてタグリーダを備える構成を示す図である。
【図１３】撮影オーダ情報の一例を示す図である。
【図１４】撮影オーダ情報を表示する選択画面の一例を示す図である。
【図１５】各撮影オーダ情報に対応する各アイコン等を表示する画面の一例を示す図である。
【図１６】ＦＰＤカセッテやＣＲカセッテを選択させる選択画面の一例を示す図である。
【図１７】図１５の選択画面でアイコンＩ２がフォーカスされた状態を説明する図である。
【図１８】図１７の場合にアイコンＩ２に代えてプレビュー画像が表示されること等を説明する図である。
【図１９】図１８の場合にプレビュー画像が表示されていた位置に生成された放射線画像が表示されること等を説明する図である。
【図２０】図１８に示した状態から続いてアイコンＩ３にフォーカス遷移されることを説明する図である。
【図２１】第１の実施形態で記憶手段に撮影実施順に記憶された各撮影オーダ情報、受信順に記憶された各撮影実施結果、および確定された各放射線画像を表す図である。
【図２２】図２１に示された各撮影オーダ情報と各撮影実施結果と確定された各放射線画像とが対応付けられた状態を表す図である。
【図２３】第２の実施形態でＦＰＤカセッテを用いて撮影が実施された撮影オーダ情報に確定された放射線画像が対応付けられた状態を表す図である。
【図２４】第２の実施形態ではＣＲカセッテを用いた撮影よりも後に行われたＦＰＤカセッテを用いた撮影が実施された撮影オーダ情報に先に確定された放射線画像が対応付けられる場合があることを説明する図である。
【図２５】第３の実施形態では撮影ごとに撮影オーダ情報と撮影実施結果と確定された放射線画像とが対応付けられることを説明する図である。
【図２６】第３の実施形態では撮影オーダ情報と撮影実施結果と確定された放射線画像とが対応付けられないと次の撮影の実施が許容されないことを説明する図である。
【発明を実施するための形態】
【００２４】
以下、本発明に係る放射線画像撮影システムの実施の形態について、図面を参照して説明する。ただし、本発明は以下の図示例のものに限定されるものではない。
【００２５】
［各実施形態に共通の構成］
図１は、以下で説明する本発明の各実施形態に共通の放射線画像撮影システムの全体構成を示す図である。
【００２６】
撮影室Ｒａは、患者の身体の一部である被写体（すなわち患者の撮影部位）に放射線を照射して放射線画像撮影を行う部屋であり、被写体に放射線を照射するための放射線照射装置の放射線発生装置５７の放射線源５２等が配置されている。なお、撮影室Ｒａは、放射線が撮影室外に漏洩しないように鉛などでシールドされている。
【００２７】
以下の各実施形態では、放射線画像撮影装置として、以下で説明するようなＦＰＤカセッテ（すなわち可搬型の放射線画像撮影装置）１Ｆが用いられるようになっている。また、撮影室Ｒａには、ＦＰＤカセッテＩＦのほかに、ＣＲカセッテ１Ｃも備えられており、或いは持ち込み可能とされており、また、ＦＰＤカセッテ１ＦやＣＲカセッテ１Ｃを装填可能なブッキー装置５１が設けられている。
【００２８】
なお、ブッキー装置５１や放射線源５２等については、後で説明する。また、撮影室Ｒａ内に、図示しない専用機型の放射線画像撮影装置が設置されていてもよく、放射線画像撮影装置として、ＦＰＤカセッテ１Ｆと専用機型の放射線画像撮影装置とが混在するような放射線画像撮影システムについても本発明が適用される。
【００２９】
ここで、まず、放射線画像撮影システム５０で放射線画像撮影に用いられるＦＰＤカセッテ１Ｆについて説明する。
【００３０】
なお、以下では、ＦＰＤカセッテ１Ｆとして、シンチレータ等を備え、放射された放射線を可視光等の他の波長の電磁波に変換して電気信号を得るいわゆる間接型のＦＰＤカセッテについて説明するが、本発明は、シンチレータ等を介さずに放射線を放射線検出素子で直接検出する、いわゆる直接型のＦＰＤカセッテに対しても適用することができる。
【００３１】
図２は、ＦＰＤカセッテの外観斜視図であり、図３は、ＦＰＤカセッテを反対側から見た外観斜視図である。また、図４は、図２のＡ−Ａ線に沿う断面図である。ＦＰＤカセッテ１Ｆは、図２〜図４に示すように、筐体状のハウジング２内にシンチレータ３や基板４等で構成されるセンサパネルＳＰが収納されている。
【００３２】
図２や図３に示すように、ＦＰＤカセッテ１Ｆの筐体２のうち、放射線入射面Ｒを有する中空の角筒状のハウジング本体部２Ａは、放射線を透過するカーボン板やプラスチック等の材料で形成されており、ハウジング本体部２Ａの両側の開口部を蓋部材２Ｂ、２Ｃで閉塞することで筐体２が形成されている。なお、筐体２をこのようないわゆるモノコック型として形成する代わりに、例えば、フレーム板とバック板とで形成された、いわゆる弁当箱型とすることも可能である。
【００３３】
図２に示すように、筐体２の一方側の蓋部材２Ｂには、電源スイッチ３７や選択スイッチ３８、コネクタ３９、バッテリ状態やＦＰＤカセッテ１Ｆの稼働状態等を表示するＬＥＤ等で構成されたインジケータ４０等が配置されている。
【００３４】
また、図３に示すように、筐体２の反対側の蓋部材２Ｃには、画像データ等をコンソール５８に無線で転送するための通信手段であるアンテナ装置４１が埋め込まれている。なお、画像データ等をコンソール５８に有線方式で転送するように構成することも可能であり、その場合、例えば、前述したコネクタ３９にケーブル等を接続して送受信するように構成される。また、アンテナ装置４１を設ける場合には、アンテナ装置４１の筐体２上の配置場所や配置する個数は適宜決められる。
【００３５】
筐体２の内部には、図４に示すように、センサパネルＳＰの基板４の下方側に図示しない鉛の薄板等を介して基台３１が配置され、基台３１には、電子部品３２等が配設されたＰＣＢ基板３３や緩衝部材３４等が取り付けられている。
【００３６】
なお、基板４やシンチレータ３の放射線入射面Ｒ側には、それらを保護するためのガラス基板３５が配設されている。また、センサパネルＳＰと筐体２の側面との間に、それらがぶつかり合うことを防止するための緩衝材３６が設けられている。
【００３７】
シンチレータ３は、基板４の後述する検出部Ｐに貼り合わされるようになっている。シンチレータ３は、例えば、蛍光体を主成分とし、放射線の入射を受けると３００〜８００ｎｍの波長の電磁波、すなわち可視光を中心とした電磁波に変換して出力するものが用いられる。
【００３８】
基板４は、ガラス基板で構成されており、図５に示すように、基板４のシンチレータ３に対向する側の面４ａ上には、複数の走査線５と複数の信号線６とが互いに交差するように配設されている。基板４の面４ａ上の複数の走査線５と複数の信号線６により区画された各小領域ｒには、放射線検出素子７がそれぞれ設けられている。
【００３９】
このように、走査線５と信号線６で区画された各小領域ｒに二次元状（マトリクス状ともいう。）に配列された複数の放射線検出素子７が設けられた領域ｒ全体、すなわち図５に一点鎖線で示される領域が検出部Ｐとされている。
【００４０】
放射線検出素子７としては、フォトダイオードが用いられているが、この他にも例えばフォトトランジスタ等を用いることも可能である。各放射線検出素子７は、図５の拡大図である図６に示すように、スイッチ手段であるＴＦＴ８のソース電極８ｓに接続されている。また、ＴＦＴ８のドレイン電極８ｄは信号線６に接続されている。
【００４１】
そして、ＴＦＴ８は、後述する走査駆動手段１５から走査線５を介してゲート電極８ｇにオン電圧が印加されるとオン状態となり、ソース電極８ｓやドレイン電極８ｄを介して放射線検出素子７内に蓄積されている電荷を信号線６に放出させるようになっている。また、ＴＦＴ８は、接続された走査線５を介してゲート電極８ｇにオフ電圧が印加されるとオフ状態となり、放射線検出素子７から信号線６への電荷の放出を停止して、放射線検出素子７内に電荷を保持するようになっている。
【００４２】
図６に示すように、列状に配置された複数の放射線検出素子７にそれぞれバイアス線９が接続されており、図５に示すように、各バイアス線９は、基板４の検出部Ｐの外側の位置で１本の結線１０に結束されている。
【００４３】
また、各走査線５や各信号線６、バイアス線９の結線１０は、それぞれ基板４の端縁部付近に設けられた入出力端子（パッドともいう）１１に接続されている。各入出力端子１１には、図７に示すように、ＩＣ１２ａ等のチップがフィルム上に組み込まれたフレキシブル回路基板（Chip On Filmともいう。）１２が異方性導電接着フィルム（Anisotropic Conductive Film）や異方性導電ペースト（Anisotropic Conductive Paste）等の異方性導電性接着材料１３を介して接続されている。
【００４４】
また、フレキシブル回路基板１２は、基板４の裏面４ｂ側に引き回され、裏面４ｂ側で前述したＰＣＢ基板３３に接続されるようになっている。このようにして、ＦＰＤカセッテ１ＦのセンサパネルＳＰの基板４部分が形成されている。なお、図７では、電子部品３２等の図示が省略されている。
【００４５】
ここで、図８を用いてＦＰＤカセッテ１Ｆの回路構成について説明する。
【００４６】
各放射線検出素子７の一方の電極にはそれぞれバイアス線９が接続されており、各バイアス線９は結線１０に結束されてバイアス電源１４に接続されている。バイアス電源１４は、結線１０および各バイアス線９を介して各放射線検出素子７の電極にそれぞれバイアス電圧（厳密に言えば逆バイアス電圧）を印加するようになっている。
【００４７】
また、各放射線検出素子７の他方の電極はＴＦＴ８のソース電極８ｓ（図８中ではＳと表記されている。）に接続されており、各ＴＦＴ８のゲート電極８ｇ（図８中ではＧと表記されている。）は、走査駆動手段１５のゲートドライバ１５ｂから延びる走査線５の各ラインＬ１〜Ｌｘにそれぞれ接続されている。また、各ＴＦＴ８のドレイン電極８ｄ（図８中ではＤと表記されている。）は各信号線６にそれぞれ接続されている。
【００４８】
走査駆動手段１５は、ゲートドライバ１５ｂにオン電圧やオフ電圧を供給する電源回路１５ａと、走査線５の各ラインＬ１〜Ｌｘに印加する電圧をオン電圧とオフ電圧の間で切り替えるゲートドライバ１５ｂとを備えている。ゲートドライバ１５ｂは、前述したように、走査線５の各ラインＬ１〜Ｌｘを介してＴＦＴ８のゲート電極８ｇに印加する電圧をオン電圧とオフ電圧との間で切り替えて、各ＴＦＴ８のオン状態とオフ状態とを制御するようになっている。
【００４９】
また、各信号線６は、読み出しＩＣ１６内に形成された各読み出し回路１７にそれぞれ接続されている。読み出し回路１７は、増幅回路１８と、相関二重サンプリング（Correlated Double Sampling）回路１９と、アナログマルチプレクサ２１と、Ａ／Ｄ変換器２０とで構成されている。
【００５０】
例えば、放射線画像撮影の際に、被写体を介してＦＰＤカセッテ１Ｆに放射線が照射されると、シンチレータ３で放射線が他の波長の電磁波に変換され、変換された電磁波がその直下の放射線検出素子７に照射される。そして、照射された放射線の線量（すなわち電磁波の光量）に応じて放射線検出素子７内で電荷が発生する。
【００５１】
各放射線検出素子７からの画像データＤの読み出し処理においては、走査駆動手段１５のゲートドライバ１５ｂから走査線５の所定のラインＬｎにオン電圧が印加されると、走査線５の当該ラインＬｎを介してそれに接続されている各ＴＦＴ８のゲート電極８ｇにオン電圧が印加されて各ＴＦＴ８がオン状態となり、オン状態となった各ＴＦＴ８と接続されている放射線検出素子７から各ＴＦＴ８を介して信号線６に電荷が放出される。
【００５２】
そして、放射線検出素子７から放出された電荷量に応じて増幅回路１８から電圧値が出力され、それを相関二重サンプリング回路１９で相関二重サンプリングしてアナログ値の画像データＤがマルチプレクサ２１に出力される。マルチプレクサ２１から順次出力された画像データＤは、Ａ／Ｄ変換器２０で順次デジタル値の画像データＤに変換され、記憶手段２３に出力されて順次保存されるようになっている。
【００５３】
制御手段２２は、ＣＰＵ（Central Processing Unit）やＲＯＭ（Read Only Memory）、ＲＡＭ（Random Access Memory）、入出力インターフェース等がバスに接続されたコンピュータや、ＦＰＧＡ（Field Programmable Gate Array）等により構成されている。専用の制御回路で構成されていてもよい。
【００５４】
制御手段２２は、ＦＰＤカセッテ１Ｆの走査駆動手段１５や読み出し回路１７等の各機能部の動作等を制御するようになっている。制御手段２２には、ＤＲＡＭ（Dynamic ＲＡＭ）等で構成される記憶手段２３や、ＦＰＤカセッテ１Ｆの各機能部に電力を供給するバッテリ２４が接続されている。また、制御手段２２には、前述したアンテナ装置４１が接続されている。
【００５５】
制御手段２２は、放射線画像撮影が行われると、上記のようにして、各放射線検出素子７から電荷すなわち画像データＤを読み出す読み出し処理を行うようになっている。また、制御手段２２は、各放射線検出素子７から読み出して記憶手段２３に保存した各画像データＤに基づいて、各画像データＤを所定の割合で間引いてプレビュー用の間引きデータＤｔを作成するようになっている。
【００５６】
間引きデータＤｔは、例えば、二次元状に配列された各放射線検出素子７に対応して各画像データＤを配列した場合に３×３画素や４×４画素ごとに１画素分の画像データＤを抽出するようにして作成してもよく、或いは、走査線５の各ラインＬ１、Ｌ４、Ｌ７、…にそれぞれ接続された各放射線検出素子７からの画像データＤのように、走査線５の所定の間隔ごとの各ラインＬｎに接続された各放射線検出素子７からの画像データＤを抽出して作成するように構成することも可能である。
【００５７】
そして、制御手段２２は、放射線画像撮影が終了して各放射線検出素子７から画像データＤを読み出して記憶手段２３に保存すると、即座に間引きデータＤｔを作成し、間引きデータＤｔにＦＰＤカセッテ１Ｆの識別情報であるカセッテＩＤを付与して、後述するように、コンソール５８等に送信するようになっている。この間引きデータＤｔの送信は放射線画像撮影ごとに行われる。
【００５８】
制御手段２２は、間引きデータＤｔをコンソール５８に送信した後、当該間引きデータＤｔの作成の基となった画像データＤ、すなわち当該撮影で得られた全画像データＤを、カセッテＩＤを付与してコンソール５８に自動的に送信するようになっている。
【００５９】
上記のように、間引きデータＤｔの送信は、コンソール５８等の指示を待たずに自動的に送信されるが、この全画像データＤの送信については、コンソール５８等からの送信指示があった時点で送信するように構成することも可能である。
【００６０】
なお、前述した間引きデータＤｔの送信の際に、ＦＰＤカセッテ１Ｆからコンソール５８に間引きデータＤｔを送信するように構成されている場合、ＦＰＤカセッテ１Ｆからコンソール５８に画像データＤを送信する際には、全画像データＤのうち、既に送信済みの間引きデータＤｔ以外の画像データＤのみを送信するように構成することも可能である。
【００６１】
この場合、コンソール５８は、既に受信している間引きデータＤｔと、新たに送信されてきた画像データＤとを合成して全画像データＤを復元するように構成される。なお、ＦＰＤカセッテ１Ｆからコンソール５８以外の装置に間引きデータＤｔを直接送信するように構成されている場合には、コンソール５８には間引きデータＤｔが送信されていないため、ＦＰＤカセッテ１Ｆからコンソール５８に全ての画像データＤが送信される。
【００６２】
また、後述するように、ＦＰＤカセッテ１Ｆがブッキー装置５１に装填されておらず単独で用いられている場合（すなわちコネクタ３９（図２参照）に何も接続されていない場合）は、制御手段２２は、アンテナ装置４１を介して無線方式で間引きデータＤｔや画像データＤ、後述するオフセット補正値等をコンソール５８に送信する。
【００６３】
さらに、ＦＰＤカセッテ１Ｆがブッキー装置５１に装填されて用いられている場合（すなわちコネクタ３９にブッキー装置５１のコネクタ５１ｂ（後述する図９、図１０参照）が接続されている場合）は、制御手段２２は、ブッキー装置５１を介して有線方式で間引きデータＤｔ等をコンソール５８に送信するようになっている。
【００６４】
制御手段２２は、１回の放射線画像撮影が終了するごとに、或いは、一連の放射線画像撮影が終了した時点で、これらの放射線画像撮影で得られた画像データＤに重畳されているオフセット分を補正するためのオフセット補正値を得るために、いわゆるダーク読取処理を自動的に行うようになっている。なお、単独或いは一連の放射線画像撮影が開始される前に、ダーク読取処理を行うように構成することも可能である。
【００６５】
ダーク読取処理では、ＦＰＤカセッテ１Ｆの各ＴＦＴ８をオフ状態とし、ＦＰＤカセッテ１Ｆに放射線が照射されない状態で所定時間放置した後、上記の読み出し処理と同様にして、各放射線検出素子７から、それらに蓄積された暗電荷等をいわゆるダーク読取値として読み出す。読み出されたダーク読取値は、記憶手段２３に保存される。
【００６６】
そして、制御手段２２は、読み出した各放射線検出素子７ごとのダーク読取値をオフセット補正値としたり、或いは、ダーク読取処理を複数回行って、各放射線検出素子７ごとに得られた複数のダーク読取値を平均化する等して、オフセット補正値を算出する。そして、オフセット補正値にＦＰＤカセッテ１Ｆの識別情報であるカセッテＩＤを付与して、コンソール５８に自動的に送信するようになっている。
【００６７】
一方、後述するように、ＦＰＤカセッテ１Ｆが撮影室Ｒａに持ち込まれると、検知手段である後述するクレードル５５に挿入されるようになっている。その際、制御手段２２は、ＦＰＤカセッテ１Ｆがクレードル５５に挿入された際に、コネクタ３９（図２参照）がクレードル５５のコネクタ５５ａ（後述する図１１参照）に接続されると、クレードル５５を介して後述する中継器５４（図１参照）にＦＰＤカセッテ１Ｆの識別情報であるカセッテＩＤを通知するようになっている。
【００６８】
また、制御手段２２は、放射線技師等の撮影者により選択手段である選択スイッチ３８（図２参照）が押下されると、自らの識別情報であるカセッテＩＤと、自らが選択されたことを示す選択信号とを、アンテナ装置４１を介してコンソール５８に送信するようになっている。
【００６９】
可搬型のＦＰＤカセッテ１Ｆは、後述するように、ＣＲカセッテ１Ｃと互換サイズを有しており、施設に既存の後述するブッキー装置５１に装填して使用することができるようになっている。
【００７０】
また、ＦＰＤカセッテ１Ｆは、ブッキー装置５１に装填されている場合には、ブッキー装置５１から電力の供給を受けるが、ブッキー装置５１に装填されていない単独の状態では、バッテリ２４（図８参照）から制御手段２２やバイアス電源１４、走査駆動手段１５、読み出し回路１７（読み出しＩＣ１６）等の各機能部に電力を供給するようになっている。なお、ブッキー装填時は、画像データＤの送信や制御用通信等はブッキー装置５１を介して有線方式で行われる。
【００７１】
なお、ＦＰＤカセッテ１Ｆは、後述するように、ブッキー装置５１に装填されている場合には、ブッキー装置５１から電力の供給を受けるが、ブッキー装置５１に装填されていない単独の状態では、バッテリ２４（図８参照）から制御手段２２やバイアス電源１４、走査駆動手段１５、読み出し回路１７（読み出しＩＣ１６）等の各機能部に電力を供給するようになっている。
【００７２】
そして、放射線画像撮影や画像データＤの読み出し処理等を行わない場合に、各機能部に電力を供給すると、バッテリ２４が消耗してしまうため、ＦＰＤカセッテ１Ｆは、各機能部に電力を供給して放射線画像撮影を行うことができる状態、すなわち撮影可能な状態とする撮影可能モードと、放射線画像撮影を行わないような場合に各機能部に電力を供給しないスリープモードとの間で、モードを切り替えることができるようになっている。
【００７３】
スリープモードでは、コンソール５８等からの信号を受信できるようにアンテナ装置４１や制御手段２２等の最小限起動していることが必要な機能部にのみ電力を供給し、バイアス電源１４や走査駆動手段１５、読み出し回路１７（読み出しＩＣ１６）等には電力を供給しないようになっている。
【００７４】
電源スイッチ３７（図２参照）が押下された場合に、ＦＰＤカセッテ１Ｆを撮影可能モードで立ち上げるかスリープモードで立ち上げるかは適宜設定されるとしても、少なくとも、選択スイッチ３８が押下された場合に、ＦＰＤカセッテ１Ｆがスリープモードになっている場合には、ＦＰＤカセッテ１Ｆのモードは撮影可能モードに切り替えられる。
【００７５】
また、ＦＰＤカセッテ１Ｆは、撮影可能モードに切り替えられた後、所定時間が経過しても放射線画像撮影が行われない場合は、所定時間が経過した時点で、モードを自動的にスリープモードに切り替えるようになっている。
【００７６】
そして、ＦＰＤカセッテ１Ｆは、モードが切り替わる際に、コンソール３８に、撮影可能モードになったことを表す信号、或いはスリープモードになったことを表す信号を、それぞれ自らのカセッテＩＤとともに送信するようになっている。
【００７７】
次に、放射線画像撮影システム５０で放射線画像撮影に用いられるＣＲカセッテ１Ｃについて説明する。
【００７８】
ＣＲカセッテ１Ｃの構成としては、例えば特開２００３−２８７８３３号公報等に記載されている構成を採用することが可能であるが、ＣＲカセッテ１Ｃについては、公知のものを用いることが可能であり、輝尽性蛍光体プレートを備えるものであれば、特に限定されない。
【００７９】
また、本実施形態では、ＣＲカセッテ１Ｃには、例えばその裏面等に、ＣＲカセッテ１Ｃの識別情報等を担持する図示しないバーコードが貼付されており、後述するように、このバーコードが、ＣＲカセッテ１Ｃが後述するブッキー装置５１のカセッテ保持部５１ａに装填される際に、ブッキー装置５１に設けられたバーコードリーダで読み取られるようになっている。
【００８０】
なお、ブッキー装置５１に装填されたＣＲカセッテ１Ｃの識別情報を読み取る手法は、必ずしもバーコードによるものでなくてもよく、ＣＲカセッテ１Ｃが、その識別情報を担持するものを備え、ブッキー装置５１が、装填されたＣＲカセッテ１Ｃの識別情報を読み取るＣＲカセッテ識別情報読取手段を備える構成であれば、いかなる構成であってもよい。
【００８１】
次に、放射線画像撮影システム５０における他の各装置等について説明する。
【００８２】
図１に示すように、ブッキー装置５１は、カセッテ保持部５１ａにＦＰＤカセッテ１ＦやＣＲカセッテ１Ｃを装填して用いることができるようになっている。なお、図１では、撮影室Ｒａに、ブッキー装置５１として立位撮影用のブッキー装置５１Ａと臥位撮影用のブッキー装置５１Ｂが設置されている場合が示されているが、例えば、立位撮影用のブッキー装置５１Ａのみ、或いは臥位撮影用のブッキー装置５１Ｂのみが設けられているような場合にも本発明は適用される。
【００８３】
本実施形態では、ブッキー装置５１は、カセッテ保持部５１ａに従来のＣＲカセッテ１Ｃを装填して用いることもできるように構成されており、撮影室ＲａにＣＲカセッテ用に設置されている既存のブッキー装置を用いることが可能である。
【００８４】
そのため、本実施形態では、上記のＦＰＤカセッテ１Ｆは、ＣＲカセッテ１Ｃと同様の寸法になるように形成されている。すなわち、ＣＲカセッテ１Ｃは、従来のスクリーンフィルム用のカセッテにおけるＪＩＳ規格サイズ（対応する国際規格はＩＥＣ  ６０４０６）に準拠して、１４インチ×１７インチ（半切サイズ）等の寸法で形成される。また、放射線入射方向の厚さは１５ｍｍ＋１ｍｍ〜１５ｍｍ−２ｍｍの範囲内になるように形成される。
【００８５】
そのため、このＪＩＳ規格サイズのＣＲカセッテ１Ｃを装填することができるブッキー装置５１への装填使用を可能とするため、ＦＰＤカセッテ１Ｆも、ＣＲカセッテ１Ｃが準拠するスクリーンフィルム用のカセッテにおけるＪＩＳ規格に準拠した寸法で形成されている。
【００８６】
なお、スクリーン／フィルムカセッテやＣＲカセッテ用の既存のブッキー装置を用いない場合には、ＦＰＤカセッテ１Ｆを上記の寸法で形成する必要はなく、ＦＰＤカセッテ１Ｆを任意の大きさや形状に形成することが可能である。しかし、その際には、ブッキー装置５１として、任意に設定された形状のＦＰＤカセッテ１Ｆを装填することができるブッキー装置を新たに撮影室Ｒａ内に設置することが必要となる。
【００８７】
ブッキー装置５１のカセッテ保持部５１ａの内部には、図９に示すように、装填されたＦＰＤカセッテ１Ｆのコネクタ３９（図２参照）と接続されるコネクタ５１ｂが設けられている。図９に示した立位撮影用のブッキー装置５１Ａの場合だけでなく、臥位撮影用のブッキー装置５１Ｂにおいても同様に構成されている。
【００８８】
なお、上記のように、ブッキー装置５１のカセッテ保持部５１ａの内部にコネクタ５１ｂを設ける代わりに、図１０に示すように、ＦＰＤカセッテ１Ｆをブッキー装置５１に装填する前に、ブッキー装置５１から延びるケーブルの先端に設けられたコネクタ５１ｂをＦＰＤカセッテ１Ｆのコネクタ３９に接続し、その状態でＦＰＤカセッテ１Ｆをブッキー装置５１のカセッテ保持部５１ａに装填するように構成することも可能である。
【００８９】
ブッキー装置５１は、コネクタ５１ｂとＦＰＤカセッテ１Ｆのコネクタ３９とが接続されると、ＦＰＤカセッテ１Ｆからその識別情報であるカセッテＩＤを読み出し、ＦＰＤカセッテ１ＦのカセッテＩＤと自らの識別情報であるブッキーＩＤとを対応付けて、コンソール５８に送信するようになっている。
【００９０】
前述したように、ブッキー装置５１は、ＦＰＤカセッテ１Ｆがカセッテ保持部５１ａに装填されて用いられている場合には、ＦＰＤカセッテ１Ｆからコネクタ３９を介して出力される間引きデータＤｔや画像データＤ、オフセット補正値を後述する中継器５４に有線方式で伝送してコンソール５８に送信するようになっている。
【００９１】
また、ブッキー装置５１のコネクタ５１ｂとＦＰＤカセッテ１Ｆのコネクタ３９とが接続されることにより、ブッキー装置５１からＦＰＤカセッテ１Ｆに電力を供給するようになっている。そのため、ＦＰＤカセッテ１Ｆの制御手段２２は、コネクタ３９、５１ｂ同士が接続されると、バッテリ２４（図８参照）からの各機能部への電力の供給を停止し、コネクタ３９を介してブッキー装置５１から供給される電力を各機能部に供給するように切り替えるようになっている。なお、各機能部に電力供給しながら、同時にバッテリ２４を充電する構成とすることも可能である。
【００９２】
また、上記のように、ブッキー装置５１は、カセッテ保持部５１ａにＣＲカセッテ１Ｃを装填して用いることもできるように構成されており、図示を省略するが、ブッキー装置５１のカセッテ保持部５１ａには、ＣＲカセッテ１Ｃが装填される場合に、前述したＣＲカセッテ１Ｃのバーコードを光学的に読み取るＣＲカセッテ識別情報読取手段であるバーコードリーダ等が設けられている。
【００９３】
そして、ブッキー装置５１は、バーコードリーダでＣＲカセッテ１Ｃのバーコードを読み取ると、読み取った情報の中からＣＲカセッテ１Ｃの識別情報であるバーコード情報を読み出し、ＣＲカセッテ１Ｃのバーコード情報と自らの識別情報であるブッキーＩＤとを対応付けて、コンソール５８に送信するようになっている。
【００９４】
コンソール５８は、バーコード情報が送信されることによって、撮影がＣＲ方式で行われることが分かるため、放射線発生装置５７の放射線源５２から照射する放射線の照射線量をＣＲ方式に対応するように（すなわちＦＰＤ方式の撮影よりも照射線量を多くするように）切り替えるように制御するようになっている。
【００９５】
また、撮影後に、ＣＲカセッテ１Ｃを撮影室Ｒａ外に設置された後述する画像読取装置６１に装填し、画像読取装置６１により読み取られたＣＲカセッテ１Ｃのバーコード情報と画像データＤとを対応付けてコンソール５８に送信するように構成することにより、コンソール５８は、バーコード情報中に含まれるＣＲカセッテ１ＣのカセッテＩＤをキーとして、読み取られた画像データＤを撮影オーダ情報に対応付けることが可能となる。
【００９６】
図１に示すように、撮影室Ｒａには、被写体に放射線を照射する放射線源５２が少なくとも１つ設けられている。そして、放射線源５２のうち、１つの放射線源５２Ａは、例えば撮影室Ｒａの天井からつり下げられて配置されるようになっており、撮影時にはコンソール５８からの指示に基づいて起動され、図示しない移動手段により所定の位置にまで移動されるようになっている。そして、放射線の照射方向を変えることで、立位撮影用のブッキー装置５１Ａや臥位撮影用のブッキー装置５１Ｂに装填されたＦＰＤカセッテ１ＦやＣＲカセッテ１Ｃに対して放射線を照射することができるようになっている。
【００９７】
また、撮影室Ｒａには、立位撮影用や臥位撮影用のブッキー装置５１Ａ、５１Ｂには対応付けられていないポータブルの放射線源５２Ｂも設けられている。ポータブルの放射線源５２Ｂは、撮影室Ｒａ内のいかなる場所にも持ち運びでき、任意の方向に放射線を照射できるようになっている。なお、図１では、ポータブルの放射線源５２Ｂが放射線源５２Ａの放射線発生装置５７によって制御される場合が示されているが、ポータブルの放射線源５２Ｂを、放射線源５２Ａの放射線発生装置５７とは独立の構成とすることも可能である。
【００９８】
そして、ＦＰＤカセッテ１ＦやＣＲカセッテ１Ｃを単独の状態（すなわちブッキー装置５１に装填しない状態）で被写体である患者の身体の部分にあてがったり、臥位撮影用のブッキー装置５１Ｂのテーブルや図示しないベッドと患者の身体との間に差し込んだりした状態で、ポータブルの放射線源５２Ｂから適切な距離や方向で放射線を照射することができるようになっている。
【００９９】
なお、ＦＰＤカセッテ１ＦやＣＲカセッテ１Ｃは、このように、ブッキー装置５１に装填されない単独の状態で放射線画像撮影に用いることができるようになっている。
【０１００】
放射線源５２は、Ｘ線管球を備えており、Ｘ線管球は、後述する放射線発生装置５７から所定の管電圧や管電流が供給されると、指定された照射時間だけ管電圧等に応じた線量の放射線を照射するようになっている。
【０１０１】
前述したように、撮影室Ｒａは鉛などでシールドされているため、撮影室Ｒａ内でＦＰＤカセッテ１Ｆからアンテナ装置４１を介して画像データＤ等の情報を送受信しようとしても、そのままでは送受信できない。そこで、図１に示すように、ＦＰＤカセッテ１Ｆとコンソール５８とが無線通信する際に、これらの通信を中継する無線アンテナ５３を備えた中継器（基地局や無線アクセスポイントともいう。）５４が設けられている。
【０１０２】
なお、前述したように、ブッキー装置５１と中継器５４とはケーブル等で接続されており、ＦＰＤカセッテ１Ｆをブッキー装置５１に装填して用いる場合には、ＦＰＤカセッテ１Ｆから出力された間引きデータＤｔ等は、ブッキー装置５１や中継器５４等を介して有線方式でコンソール５８に送信される。
【０１０３】
中継器５４には、クレードル５５が接続されている。図１１に示すように、撮影室Ｒａに持ち込まれたＦＰＤカセッテ１Ｆが挿入されて、ＦＰＤカセッテ１Ｆのコネクタ３９とクレードル５５のコネクタ５５ａとが接続されると、前述したようにＦＰＤカセッテ１ＦからカセッテＩＤが、クレードル５５を介して中継器５４に通知されるようになっている。そして、中継器５４は、クレードル５５からＦＰＤカセッテ１ＦのカセッテＩＤが送信されてくると、そのカセッテＩＤをコンソール５８に通知するようになっている。
【０１０４】
なお、クレードル５５は、通常、ＦＰＤカセッテ１Ｆ等を保管したり充電するために用いられるものであり、以下の各実施形態においても、クレードル５５が充電等の機能を有するように構成することも可能である。さらに、図１１では、ＦＰＤカセッテ１Ｆを挿入する挿入口が２個設けられたクレードル５５が示されているが、挿入口は１個でもよく、或いは３個以上設けられていてもよい。
【０１０５】
また、クレードル５５は撮影室Ｒａと前室Ｒｂのいずれに設置されてもよく、撮影室Ｒａに設置される場合には、放射線源５２から照射される放射線が到達しない位置、すなわち、例えば撮影室Ｒａのコーナーの位置等に設置される。
【０１０６】
一方、撮影室Ｒａや前室Ｒｂに持ち込まれたＦＰＤカセッテ１Ｆを検知してコンソール５８にカセッテＩＤを通知する検知手段としては、上記のようにクレードル５５を用いる代わりに、或いはグレードル５５と併用して、図１２に示すように、例えば前室Ｒｂの扉付近にタグリーダ６０を設けるように構成することも可能である。
【０１０７】
このように構成する場合、予め、ＦＰＤカセッテ１Ｆ内に、いわゆるＲＦＩＤ（Radio Frequency IDentification）タグ等の図示しないタグを内蔵させておき、タグにＦＰＤカセッテ１ＦのカセッテＩＤ等の固有情報を記憶させておく。そして、ＦＰＤカセッテ１Ｆがタグリーダ６０の近傍を通過して撮影室Ｒａや前室Ｒｂに持ち込まれる際に、タグリーダ６０でＦＰＤカセッテ１ＦのタグからカセッテＩＤ等の情報を読み取り、そのカセッテＩＤをコンソール５８に通知するように構成することが可能である。
【０１０８】
このように、検知手段としてタグリーダ６０を用いるように構成すれば、ＦＰＤカセッテ１Ｆの撮影室Ｒａ内への持ち込みおよび当該撮影室Ｒａからの持ち出しの両方を検知することが可能となり、好ましい。なお、この場合は、タグリーダ６０とクレードル５５とで少なくともＦＰＤカセッテ１Ｆの撮影室Ｒａ内への持ち込みをダブルチェックするように構成することも可能である。また、検知手段としてタグリーダ６０のみを用いる場合には、クレードル５５は例えば単にＦＰＤカセッテ１Ｆの充電用等として用いられる。
【０１０９】
図１に示すように、前室Ｒｂには、放射線源５２に対して放射線の照射開始等を指示するための曝射スイッチ５６等を備えた放射線発生装置５７が設けられている。
【０１１０】
放射線発生装置５７は、前述したように放射線源５２からの放射線の照射を制御するが、本実施形態では、放射線発生装置５７は、後述するコンソール５８から撮影をＦＰＤ方式（すなわちＦＰＤカセッテ１Ｆを用いて撮影を行う方式）で行う旨の信号、或いはＣＲ方式（すなわちＣＲカセッテ１Ｃを用いて撮影を行う方式）で行う旨の信号を受信すると、各方式に対応するように、放射線源５２に対する制御を切り替えるようになっている。
【０１１１】
また、本実施形態では、放射線発生装置５７は、放射線源５２から放射線を照射させるごとに、コンソール５８に対して撮影実施結果、すなわち放射線を照射させた際の管電流や管電圧、照射時間等に関する結果（フィルタを用いたか否か等の情報を含む場合もある。）を送信するように構成されている。
【０１１２】
本実施形態では、コンソール５８は、前室Ｒｂに設けられており、図示しないＣＰＵやＲＯＭ、ＲＡＭ、入出力インターフェース等がバスに接続されたコンピュータ等で構成されている。ＲＯＭには所定のプログラムが格納されており、コンソール５８は、必要なプログラムを読み出してＲＡＭの作業領域に展開してプログラムに従って各種処理を実行するようになっている。
【０１１３】
コンソール５８には、ＣＲＴ（Cathode Ray Tube）やＬＣＤ（Liquid Crystal Display）等からなる表示部５８ａが設けられており、その他、キーボードやマウス等の図示しない入力手段等が接続されている。また、コンソール５８には、ハードディスク等で構成された記憶手段５９が接続されており、また、ＬＡＮ（Local Area Network）等のネットワーク等を介して図示しないＨＩＳ（Hospital Information System）やＲＩＳ（Radiology Information System）、ＰＡＣＳ（Picture Archiving and Communication System）等が接続されている。
【０１１４】
また、図示を省略するが、コンソール５８には、他のコンピュータや、コンソール５８から出力された画像データＤに基づいて放射線画像をフィルムなどの画像記録媒体に記録して出力するイメージャ等の外部機器が、ＬＡＮ等を介して接続されている。
【０１１５】
コンソール５８は、前述したように、撮影室Ｒａに持ち込まれたＦＰＤカセッテ１Ｆが挿入されて、ＦＰＤカセッテ１ＦのカセッテＩＤ等がクレードル５５や中継器５４を介して送信されてくると、そのカセッテＩＤを記憶手段５９に保存して、そのカセッテＩＤを有するＦＰＤカセッテ１Ｆが撮影室Ｒａ或いは前室Ｒｂ内に持ち込まれたことを認識して管理するようになっている。
【０１１６】
また、コンソール５８は、前述したように、ＦＰＤカセッテ１Ｆから撮影可能モードになったことを表す信号がカセッテＩＤとともに送信されてくると、記憶手段５９に保存されている当該カセッテＩＤに対応付けられて保存されているモードを表す情報が撮影可能モードを表す情報である場合はそのままとし、保存されているモードを表す情報がスリープモードを表す情報である場合は、カセッテＩＤに、撮影可能モードを表す情報を新たに対応付けて上書き保存する。
【０１１７】
また、ＦＰＤカセッテ１Ｆからスリープモードになったことを表す信号がカセッテＩＤとともに送信されてきた場合には、記憶手段５９に保存されている当該カセッテＩＤに対応付けられて保存されているモードを表す情報がスリープモードを表す情報である場合はそのままとし、保存されているモードを表す情報が撮影可能モードを表す情報である場合は、カセッテＩＤに、スリープモードを表す情報を新たに対応付けて上書き保存する。
【０１１８】
コンソール５８は、このようにして、ＦＰＤカセッテ１Ｆが、現在、撮影可能モードとスリープモードとのいずれのモードにあるかを認識して管理するようになっている。
【０１１９】
また、コンソール５８は、前述したように、ＦＰＤカセッテ１Ｆがコネクタ５１ｂと接続されたブッキー装置５１から、ＦＰＤカセッテ１ＦのカセッテＩＤとブッキーＩＤとが送信されてくると、記憶手段５９に保存されている当該カセッテＩＤに、ブッキーＩＤを対応付けて保存するようになっている。
【０１２０】
また、ＦＰＤカセッテ１Ｆとコネクタ５１ｂとの接続が解除された場合には、記憶手段５９に保存されている当該ＦＰＤカセッテ１ＦのカセッテＩＤとブッキーＩＤとの対応付けを解除して、カセッテＩＤのみを保存するようになっている。
【０１２１】
このようにして、コンソール５８は、ＦＰＤカセッテ１Ｆが、ブッキー装置５１に装填されて用いられる場合には、どのＦＰＤカセッテ１Ｆがどのブッキー装置５１に装填されているか、或いは装填されていないかを認識して管理するようになっている。
【０１２２】
また、ブッキー装置５１にＣＲカセッテ１Ｃが装填されて、ブッキー装置５１からＣＲカセッテ１Ｃのバーコード情報とブッキーＩＤとが送信されてくると、コンソール５８は、そのバーコード情報とブッキーＩＤとを対応付けて記憶手段５９に保存するようになっている。
【０１２３】
このようにして、コンソール５８は、ＣＲカセッテ１Ｃがブッキー装置５１に装填された場合には、どのＣＲカセッテ１Ｃがどのブッキー装置５１に装填されているかを認識して管理するようになっている。
【０１２４】
図１に示すように、コンソール５８には、ＣＲカセッテ１Ｃの輝尽性蛍光体プレートから画像データＤを読み出す画像読取装置６１が接続されている。本実施形態では、画像読取装置６１は、撮影室Ｒａや前室Ｒｂの外側に設置されているが、設置場所は任意に決められる。また、図１では、画像読取装置６１が１機だけ設置されている場合が示されているが、画像読取装置６１を複数機設置するように構成することも可能であり、設置される数は適宜決められる。
【０１２５】
画像読取装置６１の構成は、例えば前述した特開２００３−２８７８３３号公報等に記載されている構成を採用することが可能であるが、ＣＲカセッテ１Ｃ内の輝尽性蛍光体プレートから画像データＤを読み取ることができるものであれば、上記の構成に限定されない。
【０１２６】
また、前述したように、コンソール５８には、ＨＩＳやＲＩＳが接続されており、ＨＩＳやＲＩＳでは、予め個々の患者に対して所定の放射線画像撮影を行うために必要な情報が設定された撮影オーダ情報を登録することができるようになっている。なお、撮影オーダ情報を、ＨＩＳやＲＩＳに登録する代わりに、予めコンソール５８上で登録して例えば記憶手段５９に保存しておくように構成することも可能である。
【０１２７】
撮影オーダ情報は、例えば図１３に例示するように、患者情報としての「患者ＩＤ」Ｐ２、「患者氏名」Ｐ３、「性別」Ｐ４、「年齢」Ｐ５、「診療科」Ｐ６、および撮影条件としての「撮影部位」Ｐ７、「撮影方向」Ｐ８等で構成されるようになっており、さらにＦＰＤカセッテ１ＦやＣＲカセッテ１Ｃをブッキー装置５１に装填した状態で撮影を行うか否か等の情報として「ブッキーＩＤ」Ｐ９やの項目が設けられており、ブッキー装置５１に装填する場合にはそのブッキーＩＤを記載するようになっている。
【０１２８】
図１３に示した例で、ブッキーＩＤ「００１」、「００２」はそれぞれ立位撮影用のブッキー装置５１Ａおよび臥位撮影用のブッキー装置５１Ｂを表し、ブッキーＩＤ「００３」は、ＦＰＤカセッテ１Ｆをブッキー装置５１に装填せずに単独の状態で用いることを表す。なお、ＦＰＤカセッテ１Ｆをブッキー装置５１に装填せずに単独の状態で用いる場合をブッキーＩＤ「００３」とするのは、ＦＰＤカセッテ１Ｆを単独の状態で用いる場合にブッキーＩＤを空欄とすると、記入忘れとの区別がつかないためである。
【０１２９】
そのため、ＦＰＤカセッテ１Ｆを単独の状態で用いることを表すものであれば、他の表示方法を採用することも可能であり、適宜決められる。なお、ブッキーＩＤに替えて、立位ブッキー、臥位ブッキー、単独使用、を表す３種のアイコンを用意し、一のアイコンを各撮影オーダに対応付けて表示するように構成することも可能である。このように構成すると、放射線技師等が撮影前にどの撮影装置を使用すべきかが視認し易くなり、間違いが生じ難くなる。
【０１３０】
また、撮影オーダ情報には、使用するカセッテの「カセッテＩＤ」Ｐ１０の項目も設けられている。
【０１３１】
そして、撮影オーダが登録された順に、各撮影オーダ情報に対して「撮影オーダＩＤ」Ｐ１が自動的に割り当てられるようになっている。
【０１３２】
なお、撮影オーダ情報に書き込む患者情報や撮影条件の内容は、上記のものに限定されず、例えば、患者の生年月日、診察回数、放射線の線量、太っているか痩せているか等の情報を含むように構成することも可能である。また、以下では、一の患者に対して複数の撮影オーダ情報が登録されている場合について説明する。
【０１３３】
コンソール５８は、放射線技師等の撮影者の操作により、ＨＩＳやＲＩＳから必要な各撮影オーダ情報を入手するようになっている。なお、撮影オーダ情報が記憶手段５９に保存されている場合には、コンソール５８は、記憶手段５９から必要な各撮影オーダ情報を入手する。
【０１３４】
ＨＩＳやＲＩＳ或いは記憶手段５９から必要な各撮影オーダ情報を入手する場合、例えば、撮影者がコンソール５８にこれから撮影を行う患者の氏名や患者ＩＤ等を入力したり、患者が持参した撮影依頼書に記載されているバーコードをバーコードリーダで読み取ってコンソール５８に入力したり、或いは、撮影オーダ情報で撮影日が指定されている場合にはコンソール５８に撮影日を入力する等して、適宜の方法で必要な撮影オーダ情報をＨＩＳやＲＩＳ或いは記憶手段５９から入手するように構成することが可能である。
【０１３５】
そして、コンソール５８は、撮影オーダ情報を入手すると、コンソール５８の表示部５８ａに、図１４に示すように、各撮影オーダ情報の一覧を選択画面Ｈ１として表示するようになっている。
【０１３６】
選択画面Ｈ１には、各撮影オーダ情報の一覧を表示するための撮影オーダ情報表示欄ｈ１１が設けられており、撮影オーダ情報表示欄ｈ１１の左側には、撮影する予定の撮影オーダ情報を選択するための選択ボタンｈ１２が各撮影オーダ情報に対応して設けられている。また、撮影オーダ情報表示欄ｈ１１の下側には、決定ボタンｈ１３及び戻るボタンｈ１４が設けられている。
【０１３７】
［コンソールの表示部におけるアイコンの表示例］
そして、例えば、撮影者が選択ボタンｈ１２をクリックして、例えば患者「Ａ」に関する４つの撮影オーダ情報を選択して、決定ボタンｈ１３をクリックすると、コンソール５８は、表示部５８ａ上に、図１５に示すような画面Ｈ２を表示するようになっている。すなわち、コンソール５８は、表示部５８ａ上に、選択された各撮影オーダ情報に対応するアイコンＩ１〜Ｉ４を、例えば撮影オーダＩＤ（図１４等のＰ１参照）が小さい順に、すなわち登録順に表示するようになっている。
【０１３８】
なお、登録順を基本とするが、例えば手脚等に対し左右両方の部位の撮影オーダがある場合、左右の取り違え防止のため、左から先に撮影、或いは右から先に撮影、という条件に基づいて並べ替えるようにしてもよい。また、対象となる部位が全身にわたるような場合には、上（頭）から下（脚）となるような条件に基づいて並べ替えるようにしても良い。
【０１３９】
また、図１５では、各アイコンＩ１〜Ｉ４を、画面Ｈ２上で左右方向に左側から並べて表示する場合が示されているが、これに限定されず、例えば、各アイコンＩ１〜Ｉ４を上下方向に上側から並べるように構成することも可能であり、各アイコンＩ１〜Ｉ４の表示の仕方は適宜設定される。
【０１４０】
さらに、アイコンＩ１〜Ｉ４は、登録された順番に並べられるが、この他にも、例えば、選択された各撮影オーダ情報の中に、患者ＩＤ（図１４等のＰ３参照）が異なるものや診療科（Ｐ６参照）が異なるものが含まれる場合には、登録順にかかわらず、同じ患者や診療科の撮影オーダ情報に対応するアイコンＩが隣り合うように表示するように構成することも可能である。
【０１４１】
図１５に示すように、アイコンＩ１〜Ｉ４には、それぞれ「ＫＭ−０００１」等の撮影番号や、「腹部正面Ｐ→Ａ」等の撮影部位（Ｐ７）や撮影方向（Ｐ８）、「臥位」等のブッキー装置５１の使用の有無や使用するブッキー装置５１の種類等が表示されるようになっている。
【０１４２】
また、図１５の例では、臥位撮影用のブッキー装置５１を使用する撮影オーダＩＤ「００１」の撮影オーダ情報（図１４等参照）に対応するアイコンＩ１には、アイコンＩ１中の表示部分Ｉａに横長の四角が表示され、立位撮影用のブッキー装置５１を使用する撮影オーダＩＤ「００２」、「００３」の各撮影オーダ情報に対応するアイコンＩ２、Ｉ３には、アイコンＩ１中の表示部分Ｉａに縦長の四角が表示される。
【０１４３】
また、ブッキー装置５１を使用しない撮影オーダＩＤ「００４」の撮影オーダ情報に対応するアイコンＩ４には、アイコンＩ１中の表示部分ＩａにＦＰＤカセッテ１Ｆの斜視図状の図形が表示される。
【０１４４】
なお、アイコンＩ中の表示部分Ｉａに、立位撮影用または臥位撮影用のブッキー装置５１を使用すること、或いはＦＰＤカセッテ１Ｆを単独の状態で使用することを表示する際に、上記のような四角や斜視図状の図形ではなく、放射線技師等がより分かり易い表示とする等の措置が適宜採られることは前述した通りである。
【０１４５】
コンソール５８は、アイコンＩ１〜Ｉ４を表示する際、記憶手段５９に保存されているカセッテＩＤに対応付けられているブッキーＩＤを参照して、図１５に示すように、ブッキー装置５１を使用する撮影オーダ情報のアイコンＩの表示部分Ｉｂに、当該ブッキー装置５１に現在装填されているＦＰＤカセッテ１ＦのカセッテＩＤやＦＰＤカセッテ１Ｆのサイズ、解像度等を表示するようになっている。
【０１４６】
また、例えば各アイコンＩ１〜Ｉ４に設定されているブッキー装置５１とは異なるブッキー装置５１を用いるように変更する場合や、ブッキー装置５１を用いずにＦＰＤカセッテ１Ｆが単独の状態で撮影したい場合（或いはその逆の場合）には、例えば、画面Ｈ２上でカーソルを該当するアイコンＩ中の「立位」や「臥位」の表示部分Ｉａに移動させて、マウスを右クリックするとポップアップ表示するように構成し、図示しないウインドウ内に記載されているブッキー装置５１、或いはブッキー装置５１を使用しないという項目を選択して変更するように構成することも可能である。
【０１４７】
さらに、各アイコンＩ１〜Ｉ４に設定されているＦＰＤカセッテ１Ｆを変更する場合には、例えば、画面Ｈ２上でカーソルを該当するアイコンＩ中の表示部分Ｉｂに移動させて、マウスを右クリックすることで、例えば図１６に示すような選択画面Ｈ３を表示させ、各種のＦＰＤカセッテ１Ｆを表す各アイコン群の中から変更先のＦＰＤカセッテ１Ｆを適宜選択して変更するように構成することも可能である。
【０１４８】
また、例えば各アイコンＩ１〜Ｉ４に設定されているＦＰＤカセッテ１ＦのいずれかをＣＲカセッテ１Ｃに変更する場合には、例えば、同様に操作して図１６に示したような選択画面Ｈ３を表示させ、例えば「ＣＲ」と表示されたアイコンをクリックして変更するように構成することも可能である。
【０１４９】
このように構成すれば、個々のブッキー装置５１にＣＲカセッテ識別情報読取手段（すなわち例えば前述したバーコードリーダ）が設けられていなくても運用可能となる。この場合、放射線技師等の撮影者は、コンソール５８が設けられた前室Ｒｂにおいて、所望の撮影オーダ情報をＦＰＤ方式からＣＲ方式に変更することが可能となる。また、逆に、撮影オーダ情報をＣＲ方式からＦＰＤ方式に変更することも可能となる。
【０１５０】
また、上記のように選択画面Ｈ３上で各アイコンＩ１〜Ｉ４に設定されているＦＰＤカセッテ１ＦのいずれかをＣＲカセッテ１Ｃに変更するように構成する代わりに、或いはそれと併用して、例えば選択画面Ｈ１上で所望の撮影オーダ情報が選択された状態で、或いは、例えば画面Ｈ２上で所望のアイコンＩをクリックした状態で、コンソール５８に設けられた図示しないＣＲカセッテ識別情報読取手段（例えばバーコードリーダ）を用いてＣＲカセッテ１Ｃの識別情報（例えばバーコード情報）を入力すると、自動的にＦＰＤ方式からＣＲ方式に変更されるように構成することも可能である。
【０１５１】
また、ＣＲカセッテ１Ｃの画像読取装置６１がコンソール５８と１：１で接続されている場合には、ＣＲカセッテ１Ｃから読み取られた画像データＤは、読み取り動作が行われるごとにコンソール５８に送信されるため、選択画面Ｈ３では、ＣＲ方式への変更操作のみを行い、ＣＲカセッテ識別情報の入力を廃止することも可能である。
【０１５２】
ＦＰＤ方式からＣＲ方式に変更する撮影数が１回のみの場合は、ＣＲカセッテ１Ｃで撮影された画像同士の混在が生じないので、上記方式は特に好ましい。なお、複数の撮影をＣＲ方式に変更する場合には、これら複数のＣＲカセッテ１Ｃを全撮影終了後にまとめて画像読取装置６１に装填する場合には、撮影順に注意して画像読取装置６１にＣＲカセッテ１Ｃを装填する必要がある。
【０１５３】
なお、撮影に用いるＦＰＤカセッテ１ＦやＣＲカセッテ１Ｃを変更した場合には、撮影オーダ情報中の「カセッテＩＤ」Ｐ１０の項目が、変更したカセッテのカセッテＩＤに自動的に書き換えられるようになっている。
【０１５４】
また、前室Ｒｂのコンソール５８上でＦＰＤ方式からＣＲ方式への変更操作を行ったにもかかわらず、実際の撮影の際に、誤ってＦＰＤカセッテ１Ｆを使用してしまうと、上記のようにコンソール５８でＣＲ方式の際に放射線源５２から照射する放射線の照射線量をＦＰＤ方式の撮影よりも照射線量を多くするように制御するように構成されているため、線量過多になってしまう。
【０１５５】
しかし、このような場合、アナログフィルムでは、通常、救済は不可能であるが、ＦＰＤカセッテ１Ｆの場合には画像処理で救済可能な場合も想定される。従って、このような場合には、ＦＰＤカセッテ１Ｆから送信された画像データＤをコンソール５８上で撮影オーダ情報とは対応付けずに一時的に保存しておき、階調処理条件等を修正し、診断提供可能と判断された場合には、当該画像処理済みの画像データＤを撮影オーダ情報と対応付けることが可能であることが好ましい。画像処理しても診断用として使用できない場合には、再撮影モードとされる。
【０１５６】
そして、上記のように使用するブッキー装置５１を変更したり、ブッキー装置５１を使用しないように或いはブッキー装置５１を使用するように変更したり、使用するＦＰＤカセッテ１Ｆを変更したり、ＦＰＤカセッテ１ＦをＣＲカセッテ１Ｃに変更したりすると、変更したアイコンＩ１〜Ｉ４中の表示が変更した内容に切り替わる。
【０１５７】
なお、上記のように変更する場合、例えば、撮影者が、変更後のブッキー装置５１やＦＰＤカセッテ１Ｆ、或いはＣＲカセッテ１Ｃを用いずに撮影を行おうとした場合に、音声等で警告を発するように構成することも可能であり、適切な装置を用い、或いは適切な条件で撮影が行われるようにするための措置が適宜とられる。
【０１５８】
また、図１５で各アイコンＩ１〜Ｉ４の下に表示されている、処理の進行度を表すゲージＧについては、後で説明する。
【０１５９】
［アイコンのフォーカス遷移等の例］
次に、上記のような構成の下での、コンソール５８の表示部５８ａにおける各アイコンＩ１〜Ｉ４の表示のさせ方等の例について説明する。
【０１６０】
コンソール５８は、上記のように表示部５８ａ上に表示した各撮影オーダ情報に対応する各アイコンＩ１〜Ｉ４の中から、自動的に１つのアイコンＩを選択して、選択したアイコンＩを他のアイコンＩとは異なる態様で表示するようになっている。なお、以下では、あるアイコンＩを他のアイコンＩと異なる態様で表示することを、当該アイコンＩをフォーカスすると略して表現する。また、フォーカスされたアイコンＩを図示する場合には、当該アイコンＩに斜線を付して示す。
【０１６１】
アイコンＩのフォーカスの仕方としては、例えば、基本的にはアイコンＩを青や黒等の画面Ｈ２の地の色に近い色で着色して表示し、あるアイコンＩをフォーカスして表示する場合、そのアイコンＩだけを赤色や黄色等に着色して表示するように構成することができる。また、その他、フォーカスするアイコンＩを他のアイコンＩとは異なる形状で表示したり、フォーカスするアイコンＩを点滅させたり、或いは、フォーカスするアイコンＩの画面Ｈ２上での表示位置を変えたり、ズームアップする等して表示するように構成することも可能である。
【０１６２】
そして、コンソール５８がアイコンＩを自動的に選択する場合、この例では、以下の基準に従ってアイコンＩを選択してフォーカスするようになっている。なお、以下では、下記の基準に従ってアイコンＩを選択してフォーカスする場合を前提として説明するが、例えば、画面Ｈ２上に表示された各アイコンＩ１〜Ｉ４を表示順、すなわち先頭のアイコンＩ１から順にアイコンＩ１、Ｉ２、Ｉ３、Ｉ４の順にフォーカス遷移させるように構成することも可能であり、フォーカス遷移の手法は以下の例に限定されない。
【０１６３】
［基準１］
各ＦＰＤカセッテ１Ｆのモードやブッキー装置５１に対する装填状態、各放射線源５２の起動および配置状態、放射線源５２Ａ（図１参照）の位置や向き等の、それぞれの現在の状態を変えないで撮影を行うことができ、或いは、変更の程度が最も少ない状態で撮影を行うことができる撮影条件が指定された撮影オーダ情報に対応するアイコンＩを選択してフォーカスする。
【０１６４】
そのため、コンソール５８がフォーカスしたアイコンＩに対応する撮影オーダ情報に基づいて撮影者が撮影を行えば、ＦＰＤカセッテ１Ｆをブッキー装置５１に装填したり、ブッキー装置５１に装填されたＦＰＤカセッテ１Ｆを他のブッキー装置５１に装填し直したりする動作を行うことなく、或いは、最小限の動作を行うだけで撮影を行うことが可能となり、撮影を速やかに行うことが可能となるといった効果がある。
【０１６５】
この基準１の詳細は、放射線画像撮影システム５０の構成や各装置の性能等によって適宜設定される。ＦＰＤカセッテ１Ｆや放射線画像撮影システム５０が上記のように構成されている場合、例えば、以下の［１−１］、［１−２］に示す詳細な基準に従って、該当するアイコンＩが自動選択される。
【０１６６】
［１−１］ＦＰＤカセッテ１Ｆがブッキー装置５１に装填されている場合には、当該ブッキー装置５１にＦＰＤカセッテ１Ｆを装填した状態で撮影を行うことを指定する撮影オーダ情報に対応するアイコンＩを選択し、フォーカスして表示する。
［１−２］ＦＰＤカセッテ１Ｆがブッキー装置５１に装填されていない場合には、ＦＰＤカセッテ１Ｆをブッキー装置５１に装填しない単独の状態で撮影を行うことを指定する撮影オーダ情報に対応するアイコンＩを選択し、フォーカスして表示する。
【０１６７】
上記の基準［１−１］に従えば、例えば、ＦＰＤカセッテ１Ｆが立位撮影用のブッキー装置５１Ａに装填されている場合に、放射線源５２Ａが立位撮影用のブッキー装置５１Ａの方向を向いている場合は勿論、立位撮影用のブッキー装置５１Ａの方向を向いていない場合であっても、通常、ＦＰＤカセッテ１Ｆを立位撮影用のブッキー装置５１Ａから抜き出して臥位撮影用のブッキー装置５１Ｂに装填し直すよりも、放射線源５２Ａの照射方向を変更する方が、変更の程度が少なく、撮影者の負荷を低減可能である。また、コンソール５８上で撮影開始を入力し、実際に撮影室内に移動するまでの間に放射線源の準備が完了するため、早期に撮影を終えることが可能になる。
【０１６８】
また、上記の基準［１−２］に従えば、ＦＰＤカセッテ１Ｆがブッキー装置５１に装填されていないのであれば、ＦＰＤカセッテ１Ｆをブッキー装置５１に装填するよりも、ブッキー装置５１に装填しない単独の状態で撮影を行う方が、ブッキー装置５１へのＦＰＤカセッテ１Ｆの着脱動作が少なくなる分だけ撮影者の作業量を少なくすることが可能となる。
【０１６９】
また、上記の基準［１−２］の場合であっても、撮影者がＦＰＤカセッテ１Ｆをブッキー装置５１に装填して行う撮影を先に行うと判断した場合には、撮影者は、下記の基準３に従って、コンソール５８が選択したアイコンＩとは別のアイコンＩを選択してフォーカスすることができる。
【０１７０】
［基準２］
撮影室Ｒａ内にＦＰＤカセッテ１Ｆが持ち込まれていない場合や、上記の基準に従ってもいずれのアイコンＩをフォーカスするかの判断ができないような場合等（以下、このような状態を略してデフォルトの状態という。）には、コンソール５８は、表示部５８ａ上に例えば登録順等の所定の順番で並べて表示されたアイコンＩ１〜Ｉ４のうち、まだ撮影が行われていないアイコンＩの中で順番が最も先のアイコンＩ（図１５の場合は、より左側に表示されているアイコンＩ１）を選択してフォーカスする。
【０１７１】
［基準３］
コンソール５８が自動的にアイコンＩを選択してフォーカスする理由は、上記の効果があるため、そのアイコンＩを選択することを推薦するためであり、撮影者に、選択しフォーカスしたアイコンＩに対応する撮影オーダ情報に基づく撮影を行うことを強制するものではない。
【０１７２】
従って、撮影者は、フォーカスされたアイコンＩに対応する撮影オーダ情報以外の撮影オーダ情報に基づいて撮影を行いたい場合は、撮影を行う撮影オーダ情報に対応する別のアイコンＩをクリックすることで、そのアイコンＩを選択することができる。
【０１７３】
撮影者が、フォーカスされたアイコンＩとは別のアイコンＩをクリックして選択した場合には、撮影者により選択されたアイコンＩがフォーカスされ、コンソール５８が自動的に選択したアイコンＩのフォーカスが解除される。すなわち、コンソール５８が自動的に選択したアイコンＩは、他のアイコンＩと同様に、フォーカスされていない元の態様の表示に戻して表示される。
【０１７４】
コンソール５８は、例えば図１５に示したように、画面Ｈ２に各アイコンＩ１〜Ｉ４を表示したうえで、例えば、放射線源５２Ａが起動していて立位撮影用のブッキー装置５１Ａの方向を向いている場合には、上記の基準１に従って、アイコンＩ２またはアイコンＩ３を選択する。そして、アイコンＩ２、Ｉ３のみについて見た場合、上記のデフォルトの場合の基準２が適用されるため、アイコンＩ２を選択する。そのため、コンソール５８の表示部５８ａの画面Ｈ２には、図１７に示すように、アイコンＩ２が選択されフォーカスされて表示される。
【０１７５】
そして、コンソール５８は、選択したアイコンＩ（図１７の場合はアイコンＩ２）をフォーカスして表示すると、そのアイコンＩに対応する撮影オーダ情報に基づいて、即座にその撮影に用いられる各装置を所定の状態に起動するようになっている。すなわち、図１７に示した場合には、放射線源５２Ａが起動していなければ起動し、立位撮影用のブッキー装置５１Ａに放射線を照射できる状態になっていなければ、放射線源５２Ａを所定の位置に移動させて照射方向を変える。
【０１７６】
また、コンソール５８は、選択したアイコンＩで指定されている方式がＦＰＤ方式であれば放射線発生装置５７にＦＰＤ方式である旨を送信し、選択したアイコンＩで指定されている方式がＣＲ方式であれば放射線発生装置５７にＣＲ方式である旨を送信する。このようにして、放射線発生装置５７の放射線源５２から照射する放射線の照射線量をＦＰＤ方式やＣＲ方式のそれぞれに対応するように切り替えさせるようになっている。
【０１７７】
また、ＦＰＤカセッテ１Ｆがスリープモードであれば、ＦＰＤカセッテ１Ｆに覚醒信号（wake up信号等ともいう。）を送信して撮影可能モードに遷移させる等の処理を行うようになっている。
【０１７８】
このように各装置を起動させると、上記のように、撮影者が、ブッキー装置５１に装填されていないＦＰＤカセッテ１Ｆをブッキー装置５１に装填したり、ブッキー装置５１に装填されたＦＰＤカセッテ１Ｆを他のブッキー装置５１に装填し直したりする動作を行うことなく、或いは、最小限の動作を行うだけで撮影を行うことが可能となるため、撮影者が撮影室Ｒａ内に移動後に撮影を速やかに行うことが可能となる。
【０１７９】
一方、放射線技師等の撮影者が、コンソール５８の表示部５８ａの画面Ｈ２上では上記の操作を行わずに、例えば、新たなＦＰＤカセッテ１Ｆを撮影室Ｒａに持ち込んでクレードル５５に装填してコンソール５８に新たなＦＰＤカセッテ１Ｆが持ち込まれたことを通知し、当該ＦＰＤカセッテ１Ｆの選択スイッチ３８を押下したり、当該新たなＦＰＤカセッテ１Ｆをブッキー装置５１に装填したり、或いは、ＣＲカセッテ１Ｃを持ち込んでブッキー装置５１に装填するような場合がある。
【０１８０】
このような場合、それぞれカセッテＩＤやバーコード情報等がコンソール５８に送信されてくるため、コンソール５８は上記の操作が行われたことを認識することができる。そして、そのような操作が行われた場合には、新たに持ち込んだＦＰＤカセッテ１ＦやＣＲカセッテ１Ｃを用いて撮影を行うことが撮影者の意思であると判断することができる。
【０１８１】
そこで、このような場合には、コンソール５８は、カセッテＩＤやバーコード情報等が送信されてきた時点で、それを記憶手段５９に保存して登録するとともに、表示部５８ａの画面Ｈ２上でフォーカスするアイコンＩやアイコンＩの表示を、新たに送信されてきたカセッテＩＤやバーコード情報等の情報に応じ、また、上記の各基準に基づいて切り替えるようになっている。
【０１８２】
放射線源５２やＦＰＤカセッテ１Ｆ等が、フォーカスされたアイコンＩ（変更後のフォーカスされたアイコンＩを含む。）に対応する撮影オーダ情報や、ＦＰＤカセッテ１ＦからＣＲカセッテ１Ｃに切り替えられることにより変更された撮影条件に基づいて起動されている間、放射線技師等の撮影者は、例えば患者を撮影室Ｒａ（図１参照）内に誘導したり、所定の位置で所定の姿勢をとらせたりする。
【０１８３】
そして、撮影者は前室Ｒｂに移動し、撮影を行うことができる状況が整った時点で曝射スイッチ５６を操作することにより、放射線源５２から放射線が照射されて放射線画像撮影が行われる。
【０１８４】
放射線画像撮影が行われると、前述したように、ＦＰＤカセッテ１Ｆの制御手段２２は、各放射線検出素子７から画像データＤを読み出して記憶手段２３に保存する。また、制御手段２２は、各放射線検出素子７から読み出した各画像データＤに基づいて、各画像データＤを所定の割合で間引いて自動的にプレビュー用の間引きデータＤｔを作成して、アンテナ装置４１やブッキー装置５１を介して、カセッテＩＤを付した間引きデータＤｔをコンソール５８に送信する。
【０１８５】
また、制御手段２２は、間引きデータＤｔをコンソール５８に送信した後、当該間引きデータＤｔの作成の基となった画像データＤにカセッテＩＤを付与して、コンソール５８に自動的に送信する。なお、間引きデータＤｔを作成せずに、画像データＤを送信してもよいことや、コンソール５８等からの送信指示があった時点で画像データＤを送信するように構成することも可能であることは前述した通りである。
【０１８６】
さらに、制御手段２２は、所定のタイミングで行ったダーク読取処理で読み出したダーク読取値に基づいてオフセット補正値を算出し、算出したオフセット補正値にカセッテＩＤを付与して、コンソール５８に自動的に送信する。
【０１８７】
一方、ＣＲカセッテ１Ｃを用いて放射線画像撮影が行われた場合には、撮影後、ＣＲカセッテは撮影者等により撮影室Ｒａ外の画像読取装置６１に運ばれて画像データＤの読み取り処理等が行われる。そして、画像読取装置６１からコンソール５８に、画像データＤがＣＲカセッテ１Ｃのバーコード情報とともに送信される。
【０１８８】
なお、その際、撮影者等は、一連の撮影が終了したり、適当なタイミングで、１枚のＣＲカセッテ１Ｃ、または複数枚の各ＣＲカセッテ１Ｃをまとめて、画像読取装置６１の所に持参して、画像データＤの読み取り処理を行わせる場合があることは前述した通りである。
【０１８９】
コンソール５８は、ＦＰＤカセッテ１Ｆから間引きデータＤｔ等が送信されてきた段階で、或いは、画像読取装置６１からＣＲカセッテ１Ｃで撮影された画像データＤが送信されてきた段階で、送信されてきた間引きデータＤｔや画像データＤに基づいてプレビュー画像を作成するようになっている。
【０１９０】
そして、コンソール５８は、図１８に示すように、表示部５８ａの画面Ｈ２上の、フォーカスして表示したアイコンＩ２が表示されていた位置に、当該アイコンＩ２に代えて、作成したプレビュー画像ｐ_preを表示するようになっている。放射線技師等の撮影者がこのプレビュー画像ｐ_preを見て、撮影時の患者ポジショニングの良否等を確認して、必要に応じて再撮影の準備にとりかかることが可能となる。
【０１９１】
また、コンソール５８は、プレビュー画像ｐ_preを表示するとともに、プレビュー画像ｐ_pre（元のアイコンＩ２）の下に表示されている、画像データＤ（すなわちrawデータ）に対する諧調処理等の診断提供画像としての一連の画像処理の進行度を表すゲージＧの１段目（図１８では最も左側のゲージ）を着色して表示する。
【０１９２】
そして、コンソール５８は、ＦＰＤカセッテ１Ｆから送信されてくる画像データＤやオフセット補正値に基づいて、画像データＤに対するオフセット補正やゲイン補正、対数変換補正、部位や撮影条件に応じた諧調処理等の種々の画像処理を行って、最終的な画像処理済診断用の放射線画像ｐを生成する。
【０１９３】
その際、図示を省略するが、画像データＤに対する画像処理の進行度に従って、画像処理の途中の画像を、画面Ｈ２上のプレビュー画像ｐ_preが表示されていた位置に適宜表示するとともに、処理の進行度を表すゲージＧの２段目まで着色して表示して、画像処理中であることを示す。
【０１９４】
そして、ゲージＧの３段目（図１８では最も右側のゲージ）が着色された時点で、図１９に示すように、プレビュー画像ｐ_preは診断用の放射線画像ｐで上書き表示され、放射線画像ｐの下方に「ＯＫ」ボタンや「ＮＧ」ボタンが表示されるようになっている。なお、ゲージＧを表示しないように構成することも可能である。
【０１９５】
そして、放射線画像ｐ２が正常になったと撮影者が判断して「ＯＫ」ボタンをクリックすると、放射線画像ｐが確定される。また、放射線画像ｐが正常でないと判断した場合には、「ＮＧ」ボタンがクリックされるようになっている。なお、表示されている画像が、プレビュー画像ｐ_preではなく放射線画像ｐであることを放射線技師等の撮影者が視認可能に告知し、当該告知後の一定期間内に「ＮＧ」ボタンが操作されない場合は、「ＯＫ」ボタンが操作されたものと見なして、診断用の放射線画像ｐとして確定するように構成することも可能である。
【０１９６】
「ＮＧ」ボタンがクリックされ、或いはクリックされたと見なされた場合に、放射線画像ｐに対して、画像の濃度やコントラストの調整、周波数強調、解像度やサイズの変更等を行うことができるように構成することが可能である。
【０１９７】
そして、このような修正を行った後の放射線画像ｐを元の放射線画像ｐに上書き表示して、「ＯＫ」ボタンや「ＮＧ」ボタンを再度表示し、撮影者により「ＯＫ」ボタンがクリックされた場合には、修正後の放射線画像ｐを確定するように構成することが可能である。また、修正しても正常にならず「ＮＧ」ボタンがクリックされた場合には、修正後の放射線画像ｐも元の放射線画像ｐも破棄し、さらに、それらの基になった画像データＤも破棄して、再撮影を行う等の必要な措置がとられるように構成することが可能である。
【０１９８】
一方、図１８に示したように、画面Ｈ２に放射線画像ｐを表示する前段階の、画面Ｈ２上にプレビュー画像ｐ_preを表示した段階でも、その下側に「ＯＫ」と「ＮＧ」のボタンが表示されるようになっている。そして、撮影者は、撮影ポジションが正常で再撮影が不要の場合には「ＯＫ」ボタンを、撮影が不正常で再撮影が必要である場合には「ＮＧ」ボタンをクリックするようになっており、このようにして撮影者の承認を得るようになっている。
【０１９９】
撮影者が、プレビュー画像ｐ_preを見て再撮影は不要であると判断して「ＯＫ」ボタンをクリックすると、コンソール５８は、別のアイコンＩをフォーカスして表示するが、この処理については後で説明する。なお、例えば、プレビュー画像ｐ_preを表示した後、一定時間内に「ＮＧ」ボタンが操作されない場合に、撮影者がプレビュー画像ｐ_preを承認して「ＯＫ」ボタンを操作したものと見なすように構成して、「ＯＫ」ボタンの操作を不要とするように構成することも可能である。
【０２００】
また、撮影者が、プレビュー画像ｐ_preや放射線画像ｐを見て再撮影が必要であると判断して「ＮＧ」ボタンをクリックすると、コンソール５８は、プレビュー画像ｐ_preや放射線画像ｐの表示を元のアイコンＩ２の表示に戻すとともに、「ＯＫ」ボタンや「ＮＧ」ボタンの表示も画面Ｈ２から消し、或いは「ＯＫ」ボタンや「ＮＧ」ボタンをクリックできないようにする。また、ゲージＧの表示も元に戻す。
【０２０１】
そして、送信されてきた間引きデータＤｔや画像データＤを破棄するとともに、ＦＰＤカセッテ１Ｆに当該放射線画像撮影で得られて記憶手段２３に保存されている画像データＤ等を破棄するように指令する。当該放射線画像撮影で得られた画像データＤ等は不要であるからである。
【０２０２】
なお、コンソール５８は、撮影者が「ＯＫ」ボタンをクリックした場合には、プレビュー画像ｐ_preや放射線画像ｐの表示を元のアイコンＩ２の表示には戻さずにプレビュー画像ｐ_preや放射線画像ｐを表示した状態のままとし、「ＯＫ」ボタンや「ＮＧ」ボタンの表示も画面Ｈ２から消し、或いは「ＯＫ」ボタンや「ＮＧ」ボタンをクリックできないようにする
【０２０３】
そして、コンソール５８は、撮影者が、例えば、アイコンＩを選択する場合と同じようにプレビュー画像ｐ_preや放射線画像ｐ上にカーソルを移動させてクリックしても、再度アイコンＩ２を選択することができないようにする。
【０２０４】
これは、既に正常に行われた撮影（すなわち再撮影が不要と判断された撮影）を再度選択する必要がないためであり、既に正常に行われた撮影を再度選択することで既に得られている画像データＤ等が破棄される等の不都合が生じないようにするためである。なお、何らかの事情で、当該撮影オーダ情報に基づく放射線画像撮影を再度行う必要が生じ、既に得られている画像データＤ等を破棄する必要が生じた場合に備えて、特殊な操作を行うことで当該撮影オーダ情報に対して既に得られた画像データＤ等を破棄することができるように構成することも可能であり、その場合は、適宜の操作方法が設定される。
【０２０５】
一方、コンソール５８は、図１８に示したプレビュー画像ｐ_preの下側の「ＯＫ」がクリックされると、或いは、プレビュー画像ｐ_preを表示した後一定時間内に「ＮＧ」ボタンが操作されず「ＯＫ」ボタンが操作されたものと見なすと、図２０に示すように、続いて、再び上記の各基準に従って、次のアイコンＩを選択してフォーカスするようになっている。
【０２０６】
具体的には、コンソール５８は、図１８に示した場合、ＦＰＤカセッテ１Ｆが立位撮影用のブッキー装置５１Ａに装填されているため、上記の基準１に照らして、図２０に示すように、ＦＰＤカセッテ１Ｆのブッキー装置５１に対する装填状態を変える必要がなく、各放射線源５２Ａの起動状態や位置、向き等を現在の状態から変えないで撮影を行うことができる撮影オーダ情報に対応するアイコンＩ３を選択してフォーカスする。
【０２０７】
このように、本実施形態に係る放射線画像撮影システム５０では、デフォルトのアイコンＩ１ではなく、各ＦＰＤカセッテ１Ｆのモードやブッキー装置５１に対する装填状態、各放射線源５２の起動状態、放射線源５２Ａの位置や向き等の、それぞれの現在の状態を変えないで撮影を行うことができる撮影条件が指定された撮影オーダ情報に対応するアイコンＩ２が自動的に選択されてフォーカスされる。
【０２０８】
この場合、アイコンＩ２に対応する撮影オーダ情報に基づく撮影が行われたばかりであり、ＦＰＤカセッテ１Ｆは撮影可能モードであるため、コンソール５８からＦＰＤカセッテ１Ｆに覚醒信号を送信する必要はない。また、放射線源５２Ａは起動しており、立位撮影用のブッキー装置５１Ａに放射線を照射できる状態になっているが、照射する放射線の線量が変わる場合には、その線量を照射するように管電圧等が変更される。
【０２０９】
そして、放射線画像撮影が行われると、ＦＰＤカセッテ１Ｆから間引きデータＤｔ等がコンソール５８に送信され、コンソール５８は、上記と同様にして、送信されてきた間引きデータＤｔ等に基づいてプレビュー画像ｐ_preを作成し、画面Ｈ２上に表示する。そして、コンソール５８は、プレビュー画像ｐ_preを元のアイコンＩ３の位置に表示して、「ＯＫ」ボタンがクリックされると、或いは、「ＯＫ」ボタンが操作されたものと見なすと、以後、上記と同様に、上記の各基準に従ってアイコンＩを次々と選択してフォーカスしていく。
【０２１０】
また、画面Ｈ２に表示した放射線画像ｐ、或いは撮影者により修正された放射線画像ｐが正常であると撮影者に判断されて「ＯＫ」ボタンがクリックされると、或いは、「ＯＫ」ボタンが操作されたと見なすと、コンソール５８は、放射線画像ｐを確定させていくようになっている。
【０２１１】
［本発明に係る各実施の形態の説明］
次に、上記のような構成の下での本発明に係る各実施形態における処理の仕方についてそれぞれ説明する。また、各実施形態に係る放射線画像撮影システム５０の作用についてもあわせて説明する。
【０２１２】
なお、コンソール５８の表示部５８ａの画面Ｈ２上でのアイコンＩのフォーカス遷移が、上記の例に限定されず、例えば、先頭のアイコンＩ１から順にアイコンＩ１、Ｉ２、Ｉ３、Ｉ４の順にフォーカス遷移させるように構成することも可能であることは前述した通りである。
【０２１３】
また、その場合も、放射線技師等の撮影者が、コンソール５８が設定したアイコンＩのフォーカス遷移に反して別のアイコンＩをクリックする等してアイコンＩを選択することで、次の撮影に対応するアイコンＩや撮影オーダ情報を自由に変更することができるように構成される。すなわち、以下の各実施形態では、撮影者が、コンソール５８上で、撮影が実施される撮影オーダ情報の順番を任意に選択したり変更したりして設定することができるように構成されている。
【０２１４】
［第１の実施の形態］
上記のようなＣＲカセッテ１ＣとＦＰＤカセッテ１Ｆ（さらには専用機型の放射線画像撮影装置）が混在する状況で、しかも、ＦＰＤカセッテ１Ｃからは、画像データＤの読み出し処理後、速やかに画像データＤが送信されてくるが、ＣＲカセッテ１Ｃを用いて撮影された画像データＤは、放射線技師等の撮影者がＣＲカセッテ１Ｃを一旦撮影室Ｒａ外の画像読取装置６１に持参して、画像読取装置６１で読み取られた後でなければ送信されてこない状況では、ＦＰＤカセッテ１ＦとＣＲカセッテ１Ｃとで、画像データＤがコンソール５８に送信されてくるタイミングが異なる。
【０２１５】
また、コンソール５８の画面Ｈ２上で、撮影者により、フォーカスしたアイコンＩとは別のアイコンＩが選択されると、コンソール５８が、撮影の順番を取り違えてしまい、順番が混乱してしまう可能性がある。また、例えばプレビュー画像ｐ_preを見た撮影者が再撮影が必要であると判断して再撮影が行われる場合にも、このような事態が生じる可能性がある。
【０２１６】
そして、このような事態が生じると、前述したように、コンソール５８が、各撮影オーダ情報に、それぞれ対応する確定された放射線画像ｐ（図１９等参照）を対応付ける際に、当該撮影オーダ情報とは別の撮影オーダ情報に基づいて行われた撮影で得られた画像データＤに基づく放射線画像ｐを誤って対応付けてしまう事態が生じかねない。
【０２１７】
そこで、本実施形態では、前述したように、撮影ごとに放射線発生装置５７から撮影実施結果がコンソール５８に送信されてくることを利用して、コンソール５８は、選択された撮影オーダ情報に基づく全ての撮影が終了し、画像データＤに基づいて生成した放射線画像ｐが全て確定した時点で、撮影オーダ情報の数と、撮影実施結果の数と、確定された放射線画像ｐの数とが一致するか否かを判定するようになっている。
【０２１８】
すなわち、本実施形態では、撮影オーダ情報に放射線画像ｐを対応付けるだけでなく、放射線発生装置５７から送信されてくる撮影実施結果をも対応付けてダブルチェックし、撮影が正常に実施された場合には、それらの数が全て同じ数になるはずであることに着目して、撮影が正常に行われたか否かを判断するようになっている。
【０２１９】
具体的には、上記のように撮影者により、自動フォーカスしたアイコンＩとは別のアイコンＩが選択される場合もあるため、コンソール５８は、フォーカスしたアイコンＩの順番ではなく、自動フォーカスしたり選択されたりして実際に撮影が実施された撮影オーダ情報の順番を記憶手段５９（図１参照）に記憶させるようになっている。
【０２２０】
その際、再撮影が行われた場合には、コンソール５８は、一旦記憶手段５９に記憶された、再撮影の原因となった元の撮影に対応する撮影オーダ情報を、記憶手段５９に記憶された上記の順番中から除去し、当該撮影オーダ情報に基づく撮影がその後実際に行われた順番を記憶手段５９に記憶させる。
【０２２１】
このようにして、記憶手段５９には、図２１にイメージ的に示すように、各撮影オーダ情報Ｏａ、Ｏｂ、Ｏｃ、…が、実際に撮影が実施された順番に記憶される。
【０２２２】
また、コンソール５８は、放射線を照射するごとに放射線発生装置５７から送信されてくる撮影実施結果ａ、ｂ、ｃ、…を、受信した順番に記憶手段５９に記憶させるようになっている。
【０２２３】
その際、再撮影が行われた場合には、コンソール５８は、上記の撮影オーダ情報の場合と同様に、一旦記憶手段５９に記憶された、再撮影の原因となった元の撮影に対応する撮影実施結果を、記憶手段５９に記憶された上記の順番中から除去し、再撮影が行われて放射線を照射した放射線発生装置５７から送信されてきた撮影実施結果を、その順番で記憶手段５９に記憶させる。
【０２２４】
このようにして、記憶手段５９には、図２１にイメージ的に示すように、各撮影実施結果ａ、ｂ、ｃ、…が、実際に放射線を照射した順番に記憶される。
【０２２５】
さらに、コンソール５８は、ＦＰＤカセッテ１Ｆから各撮影ごとに送信されてきた画像データＤに基づいて生成した各放射線画像ｐα、ｐβ、ｐγ、…が確定されると（図１９参照）、図２１にイメージ的に示すように、放射線画像ｐα、ｐβ、ｐγ、…が確定されるごとに、それらの各データを記憶手段５９に記憶させるようになっている。
【０２２６】
また、コンソール５８は、画像読取装置６１でＣＲカセッテ１Ｃの輝尽性蛍光体プレートから読み取られた画像データＤが画像読取装置６１から送信されてくるごとに、各画像データＤに基づいて放射線画像ｐδ、…を生成し、それらが確定されると、放射線画像ｐδ、…の各データを記憶手段５９に記憶させるようになっている。
【０２２７】
この場合、前述したように、画像データＤに基づいて生成された放射線画像ｐが正常でなく、修正後の放射線画像ｐも正常でなければ、放射線画像ｐや画像データＤの情報は破棄される。また、その前段階で、画像データＤに基づくプレビュー画像ｐ_preを撮影者が見て再撮影が必要であると判断した場合には、画像データＤが破棄されるため、そもそも放射線画像ｐは生成されない。
【０２２８】
コンソール５８は、上記のようにして、選択された撮影オーダ情報（すなわち画面Ｈ２の全てのアイコンＩ）に基づく全ての撮影が終了し、最後の放射線画像ｐが確定された時点で、図２２に示すように、記憶手段５９上で、記憶させた撮影オーダ情報Ｏａ、Ｏｂ、Ｏｃ、Ｏｄ、…を実際に撮影が実施された順番に並べ、また、撮影実施結果ａ、ｂ、ｃ、ｄ、…を放射線発生装置５７から受信した順番に並べて、対応する撮影オーダ情報と撮影実施結果とを対応付ける。
【０２２９】
そして、コンソール５８は、この時点で、撮影オーダ情報に対応付けられない撮影実施結果が存在する場合（すなわち撮影オーダ情報Ｏａ、Ｏｂ、Ｏｃ、Ｏｄ、…の数より撮影実施結果ａ、ｂ、ｃ、ｄ、…の数の方が多い場合）、或いは、撮影実施結果が対応付けられない撮影オーダ情報が存在する場合（すなわち撮影オーダ情報Ｏａ、Ｏｂ、Ｏｃ、Ｏｄ、…の数の方が撮影実施結果ａ、ｂ、ｃ、ｄ、…の数より多い場合）、すなわち撮影オーダ情報の数と撮影実施結果の数とが一致しない場合には、音声を発声したり、表示部５８ａ上に警告を表示する等して、撮影者に警告を発するように構成されている。
【０２３０】
また、コンソール５８は、各撮影実施結果ａ、ｂ、ｃ、ｄ、…が各撮影オーダ情報Ｏａ、Ｏｂ、Ｏｃ、Ｏｄ、…に１：１に対応付けられた場合、すなわち撮影オーダ情報の数と撮影実施結果の数とが一致した場合には、続いて、記憶手段５９に記憶された各放射線画像ｐα、ｐβ、ｐγ、ｐδ、…のデータに付帯されているＦＰＤカセッテ１ＦのカセッテＩＤやＣＲカセッテ１Ｃのバーコード情報中のカセッテＩＤを参照し、撮影オーダ情報中に指定されているカセッテＩＤ（図１３等の「カセッテＩＤ」Ｐ１０参照）を参照して、各放射線画像ｐα、ｐβ、ｐγ、ｐδ、…を各撮影オーダ情報Ｏａ、Ｏｂ、Ｏｃ、Ｏｄ、…にそれぞれ対応付けるようになっている。
【０２３１】
その際、ＣＲカセッテ１Ｃは重ね撮りができず、１回の撮影についてＣＲカセッテ１Ｃを１枚しか使えないため、一連の撮影を指示する各撮影オーダ情報Ｏａ、Ｏｂ、Ｏｃ、Ｏｄ、…の中には、通常、当該ＣＲカセッテ１Ｃを用いることが指定された撮影オーダ情報は１つしかない。そのため、ＣＲカセッテ１Ｃを用いた撮影による放射線画像ｐは、当該ＣＲカセッテ１Ｃを用いることが指定された撮影オーダ情報に容易に対応付けることができる（例えば図２２中のＯｃ−ｐδの対応参照）。
【０２３２】
一方、ＦＰＤカセッテ１Ｆの場合は、同じＦＰＤカセッテ１Ｆを用いて所定の回数分だけ連続して撮影を行うことができるため、一連の撮影を指示する各撮影オーダ情報Ｏａ、Ｏｂ、Ｏｃ、Ｏｄ、…の中には、当該ＦＰＤカセッテ１Ｆを用いることが指定された撮影オーダ情報が複数存在し得る。
【０２３３】
しかし、ＦＰＤカセッテ１Ｆからは、放射線が照射されるごとに、ただちに画像データＤがコンソール５８に送信されて、放射線画像ｐが生成されて確定されるため、当該ＦＰＤカセッテ１Ｆを用いることが指定された各撮影オーダ情報については、撮影が実施された撮影オーダ情報の順番と、確定された放射線画像ｐの順番とが一致する。
【０２３４】
そのため、ＦＰＤカセッテ１Ｆを用いた撮影による各放射線画像ｐは、当該ＦＰＤカセッテ１Ｆを用いることが指定された各撮影オーダ情報に的確に対応付けることができる（例えば図２２中のＯａ−ｐα、Ｏｂ−ｐβの各対応参照）。
【０２３５】
そして、コンソール５８は、全ての放射線画像ｐを撮影オーダ情報に対応付けた時点で、撮影オーダ情報に対応付けられない放射線画像ｐが存在する場合（すなわち撮影オーダ情報Ｏａ、Ｏｂ、Ｏｃ、Ｏｄ、…の数より放射線画像ｐα、ｐβ、ｐγ、ｐδ、…の数の方が多い場合）、或いは、放射線画像ｐが対応付けられない撮影オーダ情報が存在する場合（すなわち撮影オーダ情報Ｏａ、Ｏｂ、Ｏｃ、Ｏｄ、…の数の方が放射線画像ｐα、ｐβ、ｐγ、ｐδ、…の数より多い場合）、すなわち撮影オーダ情報の数と放射線画像ｐの数とが一致しない場合には、音声を発声したり、表示部５８ａ上に警告を表示する等して、撮影者に警告を発するように構成されている。
【０２３６】
このように構成すれば、各撮影が的確に行われれば、撮影オーダ情報Ｏａ、Ｏｂ、Ｏｃ、Ｏｄ、…の数と、撮影実施結果ａ、ｂ、ｃ、ｄ、…の数と、確定された各放射線画像ｐα、ｐβ、ｐγ、ｐδ、…の数とが確実に一致するようになる。
【０２３７】
そして、その場合には、図２２に示したように、コンソール５８は、記憶手段５９に記憶させた撮影オーダ情報の順番と、撮影実施結果を受信した順番と、確定された各放射線画像ｐとに基づいて、撮影実施結果と確定された放射線画像ｐとを、対応する撮影オーダ情報にそれぞれ１：１に的確に対応付けることが可能となる。
【０２３８】
一方、例えば、プレビュー画像ｐ_preや放射線画像ｐを見た撮影者が、再撮影が必要であると判断して、再撮影が行われたにもかかわらず、不要となった元の撮影の放射線画像ｐのデータや、元の撮影の際に放射線発生装置５７から送信されてきた撮影実施結果が記憶手段５９に残っていたりすると、実施された撮影オーダ情報の数と、受信した撮影実施結果の数や確定された各放射線画像ｐの数が一致しなくなる（この場合は前者よりも後者の方が多くなる）。
【０２３９】
また、例えば、何らかの原因で必要な画像データＤがＦＰＤカセッテ１Ｆや画像読取装置６１から送られて来なかったり、撮影を行ったにもかかわらず撮影実施結果が放射線発生装置５７から送信されて来なかった場合、或いは、画像データＤや撮影実施結果は的確に送信されたがコンソール５８が的確に受信できなかった場合や撮影者のミスでそれらのデータを誤って削除してしまったような場合等には、実施された撮影オーダ情報の数と、受信した撮影実施結果の数や確定された各放射線画像ｐの数が一致しなくなる（この場合は前者よりも後者の方が少なくなる）。
【０２４０】
このように、何らかの不具合が生じた場合には、撮影オーダ情報Ｏａ、Ｏｂ、Ｏｃ、Ｏｄ、…の数と、撮影実施結果ａ、ｂ、ｃ、ｄ、…の数と、確定された各放射線画像ｐα、ｐβ、ｐγ、ｐδ、…の数のうちのいずれかの数が、他の数と一致しなくなる。逆の言い方をすれば、撮影オーダ情報の数と、撮影実施結果の数と、確定された各放射線画像ｐの数とが一致しない場合には、何らかの原因で不具合が発生したと考えることができる。
【０２４１】
その場合に、上記のように、コンソール５８から警告を発するように構成することで、放射線技師等の撮影者は、何らかの不具合が発生したことを認識して、実施された撮影オーダ情報と、受信した撮影実施結果と、確定された各放射線画像ｐとの対応付けを確認することが可能となる。
【０２４２】
そして、撮影者が、必要に応じて、それらの対応付けを修正したり、ＦＰＤカセッテ１Ｆや画像読取装置６１から画像データＤを再送させたり、画像データＤ等からの放射線画像ｐの生成を再度行ったり、或いは、再撮影を行ったりして、適切な対応をとることが可能となる。
【０２４３】
なお、上記のようにして、コンソール５８で撮影実施結果や放射線画像ｐがそれぞれ対応付けられた各撮影オーダ情報等のデータは、必要に応じて、ＰＡＣＳ等に適宜送信される。
【０２４４】
以上のように、本実施形態に係る放射線画像撮影システム５０によれば、ＦＰＤカセッテ１Ｆや、ＣＲカセッテ１Ｃから画像データＤを読み取った画像読取装置６１からそれぞれ送信されてきた画像データＤに基づいて生成した各放射線画像ｐが確定されると、記憶手段５９に記憶した撮影オーダ情報の順番と、放射線発生装置５７から送信されてきた撮影実施結果を受信した順番と、確定された各放射線画像ｐとに基づいて、撮影実施結果と確定された放射線画像とを撮影オーダ情報にそれぞれ対応付け、撮影オーダ情報の数と、撮影実施結果の数と、確定された放射線画像ｐの数とが一致するか否かを判定し、それらが一致しない場合には、警告を発するように構成した。
【０２４５】
そのため、各撮影が的確に行われて各放射線画像ｐが確定されれば、撮影オーダ情報の数と、撮影実施結果の数と、確定された各放射線画像ｐの数とが確実に一致して、各撮影が的確に行われたと認識することが可能となる。そして、撮影オーダ情報と撮影実施結果とが、撮影が行われた順番に適切に対応付けられ、また、各撮影オーダ情報に各放射線画像ｐが適切に対応付けられるため、撮影オーダ情報に、撮影実施結果と確定された放射線画像ｐとを的確かつ自動的に対応付けることが可能となる。
【０２４６】
また、撮影オーダ情報の数と、撮影実施結果の数と、確定された各放射線画像ｐの数とが一致しない場合には、コンソール５８から警告は発せられる。そのため、放射線技師等の撮影者は、何らかの原因で不具合が発生したと認識して、必要に応じて、それらの対応付けを修正したり再撮影を行う等して適切な対応をとって、撮影オーダ情報に、撮影実施結果と確定された放射線画像ｐとを的確かつ自動的に対応付けることが可能となる。
【０２４７】
このように、本実施形態に係る放射線画像撮影システム５０によれば、ＣＲカセッテ１ＣとＦＰＤカセッテ１Ｆとが混在する状況においても、コンソール５８が、撮影オーダ情報と、当該撮影オーダ情報に基づいて行われた撮影で得られた画像データＤ、すなわち確定された放射線画像ｐと撮影実施結果とを、的確かつ確実に対応付けることが可能となる。
【０２４８】
そのため、撮影後にコンソール５８に画像データＤが送信されてくるタイミングがＣＲカセッテ１ＣとＦＰＤカセッテ１Ｆ（さらには専用機型の放射線画像撮影装置）とで異なったり、再撮影が行われたような状況下でも、撮影オーダ情報と撮影実施結果と確定された放射線画像ｐとを的確に対応付けることが可能となり、撮影オーダ情報に、当該撮影オーダ情報とは別の撮影オーダ情報に基づいて行われた撮影で得られた画像データＤに基づく放射線画像ｐ等を誤って対応付けてしまうことを確実に防止することが可能となる。
【０２４９】
［第２の実施の形態］
上記の第１の実施形態では、全ての撮影が終了した後で、記憶手段５９に記憶した撮影オーダ情報の順番と、放射線発生装置５７から送信されてきた撮影実施結果を受信した順番と、確定された各放射線画像ｐとに基づいて、撮影実施結果と確定された放射線画像とを撮影オーダ情報にそれぞれ対応付ける場合について説明した。
【０２５０】
しかし、少なくともＦＰＤカセッテ１Ｆでは、前述したように、放射線が照射されるごとに、ただちに画像データＤがコンソール５８に送信されて、放射線画像ｐが生成されて確定されるため、当該ＦＰＤカセッテ１Ｆを用いることが指定された各撮影オーダ情報については、すぐに撮影オーダ情報と、確定された放射線画像ｐとを対応付けることができる。
【０２５１】
そこで、第２の実施形態では、コンソール５８は、ＦＰＤカセッテ１Ｆを用いた撮影が実施された場合には、当該ＦＰＤカセッテ１Ｆから送信されてきた画像データＤに基づいて生成した放射線画像ｐが、「ＯＫ」ボタンが操作される等して確定された時点で、当該ＦＰＤカセッテ１Ｆを用いて撮影が実施された撮影オーダ情報に、確定された放射線画像ｐを対応付けるようになっている。
【０２５２】
具体的には、本実施形態においても、コンソール５８は、図２３に示すように、各撮影オーダ情報Ｏａ、Ｏｂ、Ｏｃ、…と、放射線発生装置５７から送信されてきた各撮影実施結果ａ、ｂ、ｃ、…とを、撮影が実施された撮影オーダ情報の順番と、撮影実施結果を受信した順番にそれぞれ記憶手段５９に記憶させていく。
【０２５３】
そして、ＦＰＤカセッテ１Ｆを用いた撮影が実施された場合には、当該ＦＰＤカセッテ１Ｆを用いて撮影が実施された撮影オーダ情報（例えば撮影オーダ情報Ｏａ）に、当該ＦＰＤカセッテ１Ｆから送信されてきた画像データＤに基づいて生成し、確定された放射線画像ｐ（例えば放射線画像ｐα）を対応付けた時点で、次の撮影の実施を許容する。すなわち、上記の例で言えば、コンソール５８は、画面Ｈ２上で、次の撮影に対応するアイコンＩにフォーカスを遷移させる。
【０２５４】
ＦＰＤカセッテ１Ｆを用いた撮影が実施された場合には、放射線が照射されるごとに、ただちに画像データＤがコンソール５８に送信されて、放射線画像ｐが速やかに生成されて表示部５８ａ上に表示されるため、それが確定されてから次の撮影が許容されるように構成しても、撮影に遅延を招かないためである。
【０２５５】
また、コンソール５８は、ＣＲカセッテ１Ｃを用いた撮影が実施された場合には、放射線画像ｐが確定される前であっても、次の撮影の実施を許容する。すなわち、画像読取装置６１で当該ＣＲカセッテ１Ｃから読み取られて送信されてきた画像データＤに基づいて生成して確定された放射線画像ｐを、当該ＣＲカセッテを用いて撮影が実施された撮影オーダ情報に対応付ける以前に、次の撮影の実施を許容し、上記の例で言えば、画面Ｈ２上で、次の撮影に対応するアイコンＩにフォーカスを遷移させる。
【０２５６】
ＣＲカセッテ１Ｃの場合は、それを用いた撮影が実施された場合には、撮影後、撮影者がＣＲカセッテ１Ｃを画像読取装置６１に持参して画像データＤを読み取らせるため、画像読取装置６１からコンソール５８に画像データＤが送信されてくるまで時間がかかり、それを待っていたのでは、撮影が遅延してしまうためである。
【０２５７】
この場合、図２３に示すように、ＣＲカセッテ１Ｃを用いた撮影が実施された撮影オーダ情報（例えば撮影オーダ情報Ｏｃ）には、すぐには放射線画像ｐ（例えば図２２等の放射線画像ｐδ）は対応付けられない。
【０２５８】
そして、その間に、例えば、撮影オーダ情報Ｏｄに基づくＦＰＤカセッテ１Ｆを用いた撮影が実施されて、上記のＣＲカセッテ１Ｃの撮影よりも先に放射線画像ｐγを生成して確定されると、コンソール５８は、図２４に示すように、確定された放射線画像ｐγを撮影オーダ情報Ｏｄに対応付けて、次の撮影の実施を許容する。
【０２５９】
そして、その後、画像読取装置６１から、当該ＣＲカセッテ１Ｃの識別情報（すなわちバーコード情報に含まれる当該ＣＲカセッテ１ＣのカセッテＩＤ）とともに画像データＤが送信されてくると、コンソール５８は、当該画像データＤに基づいて放射線画像ｐδを生成し、放射線画像ｐδが確定された時点で、確定された放射線画像ｐδを、当該ＣＲカセッテ１Ｃを用いて撮影が実施された撮影オーダ情報Ｏｃに対応付ける。
【０２６０】
本実施形態では、このようにして、コンソール５８は、ＦＰＤカセッテ１Ｆを用いた撮影が実施された場合には、当該ＦＰＤカセッテ１Ｆから送信されてきた画像データＤに基づいて生成して確定された放射線画像ｐを、即座に当該ＦＰＤカセッテ１Ｆを用いて撮影が実施された撮影オーダ情報に対応付ける。
【０２６１】
そして、コンソール５８は、ＣＲカセッテ１Ｃを用いた撮影が実施された場合には、当該ＣＲカセッテ１Ｃから読み取られた画像データＤが画像読取装置６１から送信されてくると、その時点で、画像データＤに基づいて放射線画像ｐを生成し、放射線画像ｐが確定されると、その時点で、確定された放射線画像ｐを、当該ＣＲカセッテ１Ｃを用いて撮影が実施された撮影オーダ情報に対応付けるようになっている。
【０２６２】
一方、コンソール５８は、全ての撮影が終了した後で、上記のようにして確定された放射線画像ｐがそれぞれ対応付けられた各撮影オーダ情報Ｏａ、Ｏｂ、Ｏｃ、Ｏｄ、…の順番と、放射線発生装置５７から送信されてきた撮影実施結果ａ、ｂ、ｃ、ｄ、…を受信した順番とに基づいて、各放射線画像ｐが対応付けられた各撮影オーダ情報に対して、各撮影実施結果をそれぞれ対応付けるようになっている。
【０２６３】
このようにして、各放射線画像ｐが対応付けられた各撮影オーダ情報に各撮影実施結果をそれぞれ対応付けると、各撮影が的確に行われた場合には、図２２に示した第１の実施形態の場合と同様に、撮影オーダ情報Ｏａ、Ｏｂ、Ｏｃ、Ｏｄ、…と、撮影実施結果ａ、ｂ、ｃ、ｄ、…と、確定された放射線画像ｐα、ｐβ、ｐγ、ｐδ、…とがそれぞれ的確に対応付けられる。
【０２６４】
そして、コンソール５８は、各放射線画像ｐが対応付けられた各撮影オーダ情報の数と各撮影実施結果の数とが一致しない場合には、第１の実施形態の場合と同様に警告を発するように構成されている。
【０２６５】
以上のように構成することにより、第１の実施形態と同様の有益な効果を奏することが可能となるとともに、撮影オーダ情報と確定された放射線画像ｐとの対応付けをより的確かつ確実に行うことが可能となる。
【０２６６】
なお、熟練した放射線技師等の撮影者は、ＦＰＤカセッテ１Ｆから送信されてきた画像データＤや間引きデータＤｔに基づいてコンソール５８の表示部５８ａ上に表示されたプレビュー画像ｐ_preを見た時点で、その後、画像データＤに基づいて生成される放射線画像ｐが正常な画像になると判断できる場合がある。
【０２６７】
このような場合には、上記の本実施形態のように、放射線画像ｐが確定されるまで待たず、プレビュー画像ｐ_preが表示されて撮影者により「ＯＫ」ボタンがクリックされてプレビュー画像ｐ_preが承認された時点で、次の撮影の実施を許容するように構成することも可能である。
【０２６８】
このように構成すれば、ＦＰＤカセッテ１Ｆを用いた撮影が実施された場合には、生成された放射線画像ｐが確定されるまで待たなくても、撮影者がプレビュー画像ｐ_preを見て承認した時点で次の撮影の実施が許容されるため、次の撮影をより速やかに行うことができ、一連の撮影をより速やかに行うことが可能となり、一連の撮影に要する時間の短縮を図ることが可能となる。
【０２６９】
なお、この場合、放射線画像ｐが確定された時点で、確定された放射線画像ｐが、対応する撮影オーダ情報に自動的に対応付けられる。
【０２７０】
［第３の実施の形態］
上記の第２の実施形態では、少なくともＦＰＤカセッテ１Ｆを用いて実施される撮影オーダ情報については、撮影ごとに、撮影オーダ情報と確定された放射線画像ｐとの対応付けをより確実に行うことが目的とされた。
【０２７１】
しかし、撮影に用いられるカセッテがＦＰＤカセッテ１ＦであるかＣＲカセッテ１Ｃであるかに関わらず、多少撮影にかかる時間は長くなっても、撮影ごとに、各撮影オーダ情報と、放射線発生装置５７から送信されてくる各撮影実施結果と、確定された各放射線画像ｐとをそれぞれ対応付けていくように構成するように構成すれば、最も確実にそれらの対応付けを行うことが可能になる。
【０２７２】
そこで、第３の実施形態では、コンソール５８がこのように構成されている場合について説明する。
【０２７３】
具体的には、コンソール５８は、図２５に示すように、撮影が実施されるごとに、実施された撮影オーダ情報Ｏａに対して、放射線発生装置５７から受信した撮影実施結果ａを対応付けるとともに、ＦＰＤカセッテ１Ｆから当該実施された撮影に基づく画像データＤが送信され、或いは、ＣＲカセッテ１Ｃから読み取った当該実施された撮影に基づく画像データＤが画像読取装置６１から送信されてくると、その画像データＤに基づいて放射線画像ｐ１を生成し、生成した放射線画像ｐ１が確定されると、確定された放射線画像ｐ１を撮影オーダ情報Ｏａに対応付ける。
【０２７４】
そして、撮影オーダ情報Ｏａと撮影実施結果ａと確定された放射線画像ｐ１とを対応付けた時点で、次の撮影の実施を許容するように構成することが可能である。
【０２７５】
上記の第２の実施形態では、ＣＲカセッテ１Ｃから読み取られた画像データＤに基づく放射線画像ｐδの生成が、その後で撮影が実施されたＦＰＤカセッテ１Ｆからの画像データＤに基づく放射線画像ｐγの生成よりも後になり（図２４参照）、撮影オーダ情報の順番（例えば図２４におけるＯｃ、Ｏｄの順番）と放射線画像ｐの生成の順番（例えば図２４におけるｐγ、ｐδの順番）が逆になる場合があった。
【０２７６】
しかし、本実施形態のように構成すると、撮影オーダ情報に基づく撮影を実施するごとに、撮影オーダ情報と撮影実施結果と確定された放射線画像ｐとが対応付けられる。そのため、例えばＣＲカセッテ１Ｃを用いて撮影が行われた場合には、画像読取装置６１で当該ＣＲカセッテ１Ｃから画像データＤが読み取られ、その画像データＤに基づいて生成された放射線画像ｐがコンソール５８上で確定されるまでは、次の撮影の実施が許容されない。
【０２７７】
すなわち、上記の例で言えば、コンソール５８は、放射線画像ｐがコンソール５８上で確定されるまでは、画面Ｈ２上で、アイコンＩを、次の撮影に対応するアイコンＩにフォーカスを遷移させない。そのため、例えば図２６に示すように、ＣＲカセッテ１Ｃを用いて実施される撮影オーダ情報Ｏｃに、当該ＣＲカセッテ１Ｃから読み取られた画像データＤに基づく放射線画像ｐ３が対応付けられるまでは、次の撮影オーダ情報Ｏｄに基づく撮影の実施が許容されない。
【０２７８】
このように、本実施形態では、撮影に用いられるカセッテがＦＰＤカセッテ１ＦであるかＣＲカセッテ１Ｃであるかに関わらず、撮影ごとに、撮影オーダ情報と撮影実施結果と確定された放射線画像ｐとがそれぞれ対応付けられながら、各撮影が実施される。そして、撮影オーダ情報に確定された放射線画像ｐに対応付けられない限り、次の撮影を行うことができない。そのため、撮影オーダ情報と撮影実施結果と確定された放射線画像ｐとを確実に対応付けることが可能になる。
【０２７９】
以上のように構成することにより、第１、第２の実施形態と同様の有益な効果を奏することが可能となるとともに、撮影オーダ情報と確定された放射線画像ｐとの対応付けをより的確かつ確実に行うことが可能となる。
【０２８０】
なお、本実施形態においても、放射線画像ｐが確定された時点ではなく、放射線技師等の撮影者によりプレビュー画像ｐ_preが承認された時点で、次の撮影の実施を許容するように構成することも可能である。
【０２８１】
また、その他、本発明が上記の実施形態や変形例に限定されず、適宜変更可能であることはいうまでもない。
【符号の説明】
【０２８２】
１Ｃ  ＣＲカセッテ
１Ｆ  ＦＰＤカセッテ
７  放射線検出素子
５０  放射線画像撮影システム
５２  放射線源
５７  放射線発生装置
５８  コンソール
６１  画像読取装置
ａ、ｂ、ｃ、ｄ、…  撮影実施結果
Ｄ  画像データ
Ｄｔ  間引きデータ
Ｏａ、Ｏｂ、Ｏｃ、Ｏｄ、…  撮影オーダ情報
ｐ  放射線画像
ｐ_pre  プレビュー画像
【図１】
2012095882.tif 000003
【図２】
2012095882.tif 000004
【図３】
2012095882.tif 000005
【図４】
2012095882.tif 000006
【図５】
2012095882.tif 000007
【図６】
2012095882.tif 000008
【図７】
2012095882.tif 000009
【図８】
2012095882.tif 000010
【図９】
2012095882.tif 000011
【図１０】
2012095882.tif 000012
【図１１】
2012095882.tif 000013
【図１２】
2012095882.tif 000014
【図１３】
2012095882.tif 000015
【図１４】
2012095882.tif 000016
【図１５】
2012095882.tif 000017
【図１６】
2012095882.tif 000018
【図１７】
2012095882.tif 000019
【図１８】
2012095882.tif 000020
【図１９】
2012095882.tif 000021
【図２０】
2012095882.tif 000022
【図２１】
2012095882.tif 000023
【図２２】
2012095882.tif 000024
【図２３】
2012095882.tif 000025
【図２４】
2012095882.tif 000026
【図２５】
2012095882.tif 000027
【図２６】
2012095882.tif 000028